(57)【特許請求の範囲】
【請求項１】
組織上で手術するための装置であって、前記装置はエンドエフェクタを備え、前記エンドエフェクタは、
（ａ）超音波ブレードであって、前記エンドエフェクタは、前記超音波ブレードにおいて超音波エネルギーを加えるように動作可能である、超音波ブレードと、
（ｂ）前記超音波ブレードに対して枢動可能なクランプアームと、
（ｃ）前記クランプアームに固定されたクランプパッドであって、前記クランプパッドが前記超音波ブレードに対向して位置付けられることにより、前記エンドエフェクタは、前記クランプパッドと前記超音波ブレードとの間で組織を圧縮するように動作可能である、クランプパッドと、を備え、
前記クランプパッドは、少なくとも５５重量％のポリベンゾイミダゾールと、ポリエーテルケトンケトンとのブレンドを含み、前記ブレンドは０．６ｄＬ／ｇ超の固有粘度を有する、装置。
【請求項２】
組織上で手術するための装置であって、前記装置はエンドエフェクタを備え、前記エンドエフェクタは、
（ａ）超音波ブレードであって、前記エンドエフェクタは、前記超音波ブレードにおいて超音波エネルギーを加えるように動作可能である、超音波ブレードと、
（ｂ）前記超音波ブレードに対して枢動可能なクランプアームと、
（ｃ）前記クランプアームに固定されたクランプパッドであって、前記クランプパッドが前記超音波ブレードに対向して位置付けられることにより、前記エンドエフェクタは、前記クランプパッドと前記超音波ブレードとの間で組織を圧縮するように動作可能である、クランプパッドと、を備え、
前記クランプパッドは、２０重量％〜４０重量％の潤滑剤と、１５重量％〜４０重量％のポリベンゾイミダゾールと、４０重量％〜５０重量％のポリエーテルケトンケトンとのブレンドを含み、前記ブレンドは０．６ｄＬ／ｇ超の固有粘度を有する、装置。
【請求項３】
前記クランプアームが、前記クランプアームに対して前記クランプパッドを保持するように動作可能なラッチ特徴部を備え、前記ラッチ特徴部は、前記クランプパッドが前記クランプアームに対して横方向、長手方向、及び垂直方向に動くことを防ぐように動作可能である、請求項１または２に記載の装置。
【請求項４】
前記クランプパッドが、前記クランプアーム上に射出成形されている、請求項１または２に記載の装置。
【請求項５】
前記潤滑剤が、窒化ホウ素、炭素、ＰＴＦＥ、二硫化モリブデン、及びグラファイトを含む、請求項２に記載の装置。
【請求項６】
前記クランプパッドが、２７．５重量％の前記潤滑剤、２８重量％の前記ポリベンゾイミダゾール、及び４４．５重量％の前記ポリエーテルケトンケトンを含む、請求項５に記載の装置。
【請求項７】
前記潤滑剤が、１３重量％の窒化ホウ素、４７重量％の炭素、及び４０重量％のグラファイトを含む、請求項２に記載の装置。
【請求項８】
前記クランプパッドが、２８重量％のポリベンゾイミダゾール、４４．５重量％のポリエーテルケトンケトン、３．５重量％の窒化ホウ素、１１重量％のグラファイト、及び１３重量％の炭素を含む、請求項７に記載の装置。
【請求項９】
超音波外科用器具に用いられる材料であって、前記材料は、少なくとも５５重量％のポリベンゾイミダゾールと、ポリエーテルケトンケトンとのブレンドを含み、前記ブレンドは、０．６ｄＬ／ｇ超の固有粘度を有し、前記材料は、前記超音波外科用器具のクランプアームに取り付けられている、材料。
【請求項１０】
超音波外科用器具に用いられる材料であって、前記材料は、２０重量％〜４０重量％の潤滑剤と、１５重量％〜４０重量％のポリベンゾイミダゾールと、４０重量％〜５０重量％のポリエーテルケトンケトンとのブレンドを含み、前記ブレンドは、０．６ｄＬ／ｇ超の固有粘度を有し、前記材料は、前記超音波外科用器具のクランプアームに取り付けられている、材料。
【請求項１１】
前記潤滑剤が、窒化ホウ素、炭素、及びグラファイトを含む、請求項１０に記載の材料。
【請求項１２】
前記潤滑剤が、１３重量％の窒化ホウ素、４７重量％の炭素、及び４０重量％のグラファイトを含む、請求項１１に記載の材料。
【請求項１３】
前記材料が、２８重量％のポリベンゾイミダゾール、４４．５重量％のポリエーテルケトンケトン、３．５重量％の窒化ホウ素、１１重量％のグラファイト、及び１３重量％の炭素を含む、請求項１２に記載の材料。
【請求項１４】
前記材料が、クランプパッドに形成され、かつ、前記材料を前記クランプアーム上に射出成形することによって、前記超音波外科用器具の前記クランプアームに取り付けられている、請求項９または１０に記載の材料。
【請求項１５】
前記材料が、クランプパッドに形成され、かつ、前記クランプアームが、前記クランプアームに対して前記クランプパッドを保持するように動作可能なラッチ特徴部を備え、前記ラッチ特徴部は、前記クランプパッドが前記クランプアームに対して横方向、長手方向、及び垂直方向に動くことを防ぐように動作可能である、請求項９または１０に記載の材料。
【請求項１６】
前記材料が、機械加工によってクランプパッドに形成されている、請求項９または１０に記載の材料。
【発明の詳細な説明】
【背景技術】
【０００１】
様々な手術器具が、組織を（例えば、組織細胞内のタンパク質を変性させることにより）切断及び／又は封止するために超音波周波で振動するブレード要素を有するエンドエフェクタを含む。これらの器具は、電力を超音波振動に変換する圧電素子を含んでおり、それらの振動は音波導波管に沿ってブレード要素に伝達される。切断及び凝固の精度は、外科医の技術、並びに電力レベル、ブレードエッジ、組織引張、及びブレード圧力を調節することによって制御され得る。
【０００２】
超音波外科用器具の例としては、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及びＨＡＲＭＯＮＩＣ  ＳＹＮＥＲＧＹ（登録商標）Ｕｌｔｒａｓｏｎｉｃ  Ｂｌａｄｅｓが挙げられ、これらはいずれもＥｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）製である。かかる装置及び関連する概念の更なる例は、以下の文献に開示されている：その開示が、本明細書において、参照することにより組み込まれる、１９９４年６月２１日発行の「Ｃｌａｍｐ  Ｃｏａｇｕｌａｔｏｒ／Ｃｕｔｔｉｎｇ  Ｓｙｓｔｅｍ  ｆｏｒ  Ｕｌｔｒａｓｏｎｉｃ  Ｓｕｒｇｉｃａｌ  Ｉｎｓｔｒｕｍｅｎｔｓ」という名称の米国特許第５，３２２，０５５号、その開示が、本明細書において、参照することにより組み込まれる、１９９９年２月２３日発行の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ｍｅｃｈａｎｉｓｍ」という名称の米国特許第５，８７３，８７３号、その開示が、本明細書において、参照することにより組み込まれる、１９９７年１０月１０日出願の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ａｒｍ  Ｐｉｖｏｔ  Ｍｏｕｎｔ」という名称の同第５，９８０，５１０号、その開示が、本明細書において、参照することにより組み込まれる、２００１年１２月４日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  ｕｓｅ  ｗｉｔｈ  Ｕｌｔｒａｓｏｎｉｃ  Ｓｕｒｇｉｃａｌ  Ｉｎｓｔｒｕｍｅｎｔｓ」という名称の米国特許第６，３２５，８１１号、その開示が、本明細書において、参照することにより組み込まれる、２００４年８月１０日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  Ｕｓｅ  ｗｉｔｈ  Ｕｌｔｒａｓｏｎｉｃ  Ｓｕｒｇｉｃａｌ  Ｉｎｓｔｒｕｍｅｎｔｓ」という名称の米国特許第６，７７３，４４４号、及びその開示が、本明細書において、参照することにより組み込まれる、２００４年８月３１日発行の「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」という名称の米国特許第６，７８３，５２４号。
【０００３】
超音波外科用器具のまた更なる例が、以下の文献に開示されている：その開示が、本明細書において、参照することにより組み込まれる、２００６年４月１３日公開の「Ｔｉｓｓｕｅ  Ｐａｄ  ｆｏｒ  Ｕｓｅ  ｗｉｔｈ  ａｎ  Ｕｌｔｒａｓｏｎｉｃ  Ｓｕｒｇｉｃａｌ  Ｉｎｓｔｒｕｍｅｎｔ」という名称の米国特許公開第２００６／００７９８７４号、その開示が、本明細書において、参照することにより組み込まれる、２００７年８月１６日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」という名称の米国特許公開第２００７／０１９１７１３号、その開示が、本明細書において、参照することにより組み込まれる、２００７年１２月６日公開の「Ｕｌｔｒａｓｏｎｉｃ  Ｗａｖｅｇｕｉｄｅ  ａｎｄ  Ｂｌａｄｅ」という名称の米国特許公開第２００７／０２８２３３３号、その開示が、本明細書において、参照することにより組み込まれる、２００８年８月２１日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」という名称の米国特許公開第２００８／０２００９４０号、その開示が、本明細書において、参照することにより組み込まれる、２００９年４月２３日公開の「Ｅｒｇｏｎｏｍｉｃ  Ｓｕｒｇｉｃａｌ  Ｉｎｓｔｒｕｍｅｎｔｓ」という名称の米国特許公開第２００９／０１０５７５０号、その開示が、本明細書において、参照することにより組み込まれる、２０１０年３月１８日公開の「Ｕｌｔｒａｓｏｎｉｃ  Ｄｅｖｉｃｅ  ｆｏｒ  Ｆｉｎｇｅｒｔｉｐ  Ｃｏｎｔｒｏｌ」という名称の米国特許公開第２０１０／００６９９４０号、その開示が、本明細書において、参照することにより組み込まれる、２０１１年１月２０日公開の「Ｒｏｔａｔｉｎｇ  Ｔｒａｎｓｄｕｃｅｒ  Ｍｏｕｎｔ  ｆｏｒ  Ｕｌｔｒａｓｏｎｉｃ  Ｓｕｒｇｉｃａｌ  Ｉｎｓｔｒｕｍｅｎｔｓ」という名称の米国特許公開第２０１１／００１５６６０号、及びその開示が、本明細書において、参照することにより組み込まれる、２０１２年２月２日公開の「Ｕｌｔｒａｓｏｎｉｃ  Ｓｕｒｇｉｃａｌ  Ｉｎｓｔｒｕｍｅｎｔ  Ｂｌａｄｅｓ」という名称の米国特許出願公開第２０１２／００２９５４６号。
【０００４】
一部の超音波外科用器具は、以下の特許文献に開示されているもののようなコードレストランスデューサを含む場合がある：その開示が、本明細書において、参照することにより組み込まれる、２０１２年５月１０日公開の「Ｒｅｃｈａｒｇｅ  Ｓｙｓｔｅｍ  ｆｏｒ  Ｍｅｄｉｃａｌ  Ｄｅｖｉｃｅｓ」という名称の米国特許公開第２０１２／０１１２６８７号、その開示が、本明細書において、参照することにより組み込まれる、２０１２年５月１０日公開の「Ｓｕｒｇｉｃａｌ  Ｉｎｓｔｒｕｍｅｎｔ  ｗｉｔｈ  Ｃｈａｒｇｉｎｇ  Ｄｅｖｉｃｅｓ」という名称の米国特許公開第２０１２／０１１６２６５号、及び／又は、その開示が、本明細書において、参照することにより組み込まれる、２０１０年１１月５日に出願の「Ｅｎｅｒｇｙ−Ｂａｓｅｄ  Ｓｕｒｇｉｃａｌ  Ｉｎｓｔｒｕｍｅｎｔｓ」という名称の米国特許出願第６１／４１０，６０３号。
【０００５】
更に、いくつかの超音波手術器具は、関節運動シャフト部分を含み得る。そのような超音波外科用器具の例は、その開示が、本明細書において、参照することにより組み込まれる、２０１２年６月２９日に出願の「Ｓｕｒｇｉｃａｌ  Ｉｎｓｔｒｕｍｅｎｔｓ  ｗｉｔｈ  Ａｒｔｉｃｕｌａｔｉｎｇ  Ｓｈａｆｔｓ」という名称の米国特許出願第１３／５３８，５８８号、及びその開示が、本明細書において、参照することにより組み込まれる、２０１２年１０月２２日に出願の「Ｆｌｅｘｉｂｌｅ  Ｈａｒｍｏｎｉｃ  Ｗａｖｅｇｕｉｄｅｓ／Ｂｌａｄｅｓ  ｆｏｒ  Ｓｕｒｇｉｃａｌ  Ｉｎｓｔｒｕｍｅｎｔｓ」という名称の米国特許出願第１３／６５７，５５３号に開示されている。
【０００６】
多くの超音波外科用器具が、血管の接合を改善して止血を改善するための、組織を超音波ブレードに対して圧迫するクランプパッドを利用している。現行の器具は、ポリテトラフルオロエチレン（ＰＴＦＥ）などの熱硬化性グレードの材料を使用する。２つのそのような装置は、Ｃｏｖｉｄｉｅｎ（登録商標）（Ｄｕｂｌｉｎ，Ｉｒｅｌａｎｄ）製のＳｏｎｏｃｉｓｉｏｎ（登録商標）、及びＯｌｙｍｐｕｓ（登録商標）（Ｃｅｎｔｅｒ  Ｖａｌｌｅｙ，ＰＡ）製のＳｏｎｏｓｕｒｇ（登録商標）である。これらの装置では、ＰＴＦＥから形成された一体型クランプアームパッドが使用されている。この材料は、パッドに有意な潤滑性を付与するが、熱に対してあまり強くないという欠点を有する。したがって、これらの装置の組織パッドは、より高い溶融温度を有する物質から作られた材料と同様の長い耐用期間を提供せず、これらのパッドは、特にクランプアームパッドと超音波ブレーとの間に組織がない誤用モードで使用されたときに、時期尚早に切断される可能性がある。溶融温度がより高い材料を利用することができるが、そうした材料は、十分な潤滑性を提供しないことから、また、超音波ブレードがクランプアームパッドと直接接触した場合に、超音波ブレードがその遠位端部に向かって過剰に熱くなってしまうことから、これらの一体型パッドでは使用されない。
【０００７】
Ｅｔｈｉｃｏｎ  Ｅｎｄｏ−Ｓｕｒｇｅｒｙ（登録商標）（Ｃｉｎｃｉｎｎａｔｉ  ＯＨ）製のＨａｒｍｏｎｉｃ  ＡＣＥ（登録商標）では、異なる種類のクランプアームパッド設計を採用している。この超音波外科用剪断装置は、ＰＴＦＥから作られた遠位区域と、様々なポリイミド（ＰＩ）材料から作られた近位部分とを有する、２部品からなるクランプアームパッドを利用している。２部品設計を用いることにより、超音波ブレードの低振幅部分が潤滑性の低いＰＩパッド材料と接触することができる一方、超音波ブレードの高振幅部分は潤滑性の高いＰＴＦＥパッド材料と接触する。このようにすると、ＰＩパッドと接触する超音波ブレード部分の振幅（したがって速度）が十分に低いことから過度の摩擦熱が生じないので、ＰＩ材料の固有の高温抵抗特性を用いて、過度の熱を生じさせずに、より長いパッド耐用期間を提供することができる。この設計のＰＴＦＥパッド部分は、超音波ブレードの高振幅部分（したがってより高速の部分）と接触する。しかしながら、ＰＴＦＥ材料の高い潤滑性は、パッドとブレードとの界面において過度の摩擦熱が生じるのを防止する。２部品パッド設計の欠点は、両方のクランプアームパッドの全長に沿ってパッド材料が超音波ブレードと適切に整合するように、パッド材料を「バーンイン」するための追加の製造プロセスを、器具が経る必要があることである。加えて、ＰＩ及びＰＴＦＥ材料は異なる材料硬度を有するので、２部品パッド設計では、より柔らかいＰＴＦＥ材料が使用中にダメージを受けやすく、その結果、超音波ブレードと２つのパッドとの間の境界面が、ＰＩパッドとＰＴＦＥパッドとが接合される点において、不整合になる。その結果、器具が、クランプアームパッドのこの区域（超音波ブレードとの接合面）内で組織を切断するのに効果的でなくなり得る。
【０００８】
十分な耐熱性を有する一体型パッド設計が好ましいが、超音波外科用剪断設計で有用であるために必要な耐熱性と、必要な潤滑性の両方を提供する単一材料から作製された単一のクランプアーム組織パッドを作るのは不可能であると、長く考えられてきた。加えて、こうした設計で用いるために必要な耐熱性を提供する、出成形可能な材料を開発するのが可能であるとは考えられていなかった。したがって、この種類の超音波外科用器具の一体型パッド材料として使用するのに十分な潤滑性及び耐熱性を提供するクランプアームパッド材料が依然として求められている。また、クランプアームとクランプアームパッドの組み合わせの射出成形、又はクランプアームパッド材料のクランプアーム基材上へのオーバーモールドを可能にするために、より容易に加工することができるクランプアームパッド材料が求められている。
【０００９】
いくつかの手術器具及びシステムが作製され使用されてきたが、本発明者らよりも以前に、添付の特許請求の範囲に記載する本発明を作製又は使用したものは存在しないと考えられる。
【図面の簡単な説明】
【００１０】
本明細書は、本技術を具体的に指摘し、かつ明確にその権利を特許請求する、特許請求の範囲によって完結するが、本技術は、以下の特定の実施例の説明を、添付図面と併せ読むことで、より良く理解されるものと考えられ、図面では、同様の参照符号は、同じ要素を特定する。
【図１】例示的な外科用器具の側面図を示す。
【図２Ａ】開放位置にある図１の器具のエンドエフェクタの側面図を示す。
【図２Ｂ】閉鎖位置にある図２Ａのエンドエフェクタの側面図を示す。
【図３Ａ】図２Ａのエンドエフェクタのクランプアームアセンブリの分解斜視図であり、クランプアームアセンブリの下側を示している。
【図３Ｂ】図３Ａの線３Ｂ−３Ｂに沿ってとられた図３Ａのクランプアームの断面図を示す。
【図３Ｃ】図３Ａの線３Ｃ−３Ｃに沿ってとられた図３Ａのクランプアームの断面図を示す。
【図４】図１の器具のハンドルアセンブリの断面図を示す。
【図５】図１の器具の例示的なトランスデューサアセンブリの斜視図を示す。
【図６】トランスデューサハウジングが取り外された状態の図５のトランスデューサアセンブリの斜視図を示す。
【図７】図１の器具への組込みに好適な例示的な代替のクランプアームの斜視図を示す。
【図８】図７のクランプアームと共に使用する例示的成形装置の断面図を示す。
【図９】オーバーモールドされたクランプパッドと共に組み立てられた図７のクランプアームの斜視図を示す。
【図１０】図９の組み立てられたクランプアーム及びクランプパッドの断面図を示す。
【図１１】図１の器具と共に組み込むことに好適な例示的な代替のオーバーモールドされたクランプアームアセンブリの断面図を示す。
【図１２】図１１のクランプアームと共に使用する取付け装置の側面図を示す。
【図１３】図１２の取付け装置の上面図を示す。
【図１４】図１２の取付け装置と共に組み立てられた図１１のオーバーモールドされたクランプアームアセンブリの断面図を示す。
【図１５】図１の器具との組込みに好適なタブを有する例示的な代替のクランプアームアセンブリの部分斜視図を示す。
【図１６】図１の器具との組込みに好適な例示的な代替のクランプアームアセンブリの底面斜視図を示す。
【図１７】図１６のクランプアームアセンブリのクランプアームの上面斜視図を示す。
【図１８】図１６のクランプアームアセンブリのキャリアの上面斜視図を示す。
【図１９】図１６のクランプアームアセンブリのクランプパッドの上面斜視図を示す。
【図２０】図１６のクランプアームアセンブリの側面図を示す。
【図２１】図２０の線２１−２１に沿ってとられた図１６のクランプアームアセンブリの断面図を示す。
【図２２】図１の器具との組込みに好適なかかりを有する例示的な代替のクランプアームの部分斜視図を示す。
【図２３】図２２のクランプアームと共に使用するクランプパッドの斜視図を示す。
【図２４】図２２のクランプアームと共に組み立てられた図２３のクランプパッドの断面図を示す。
【図２５】図１の器具との組込みに好適な溝を有する例示的な代替のクランプアームアセンブリの断面図を示す。
【図２６】図２５のクランプアームアセンブリのクランプアームの底面図を示す。
【図２７Ａ】図１の器具との組込みに好適なｔ形スロット形状を有する例示的な代替のクランプアームの上面斜視図を示す。
【図２７Ｂ】図２７Ａのクランプアームの底面斜視図を示す。
【図２８】図１の器具との組込みに好適な側壁スロットを有する例示的な代替のクランプアームアセンブリの部分斜視図を示す。
【図２９】図２８のクランプアームアセンブリのクランプパッドの上面図を示す。
【図３０】図２８のクランプアームアセンブリのクランプアームの部分斜視図を示す。
【図３１】図１の器具との組込みに好適なピンを有する例示的な代替のクランプアームアセンブリの部分断面図を示す。
【図３２】図１の器具との組込みに好適な横方向の溝を有する例示的な代替のクランプパッドの斜視図を示す。
【図３３】図１の器具との組込みに好適な混交溝を有する例示的な代替のクランプパッドの斜視図を示す。
【図３４】図１の器具との組込みに好適な剛毛を有する例示的な代替のクランプパッドの斜視図を示す。
【図３５】図３４のクランプパッドの側面図を示す。
【図３６】図１の器具との組込みに好適な千鳥状の剛毛を有する例示的な代替のクランプパッドの側面図を示す。
【図３７】図１の器具との組込みに好適な鋸歯を有する例示的な代替のクランプパッドの斜視図を示す。
【図３８】図１の器具との組込みに好適な転倒した山形歯を有する例示的な代替のクランプパッドの斜視図を示す。
【図３９】図１の器具との組込みに好適な反対の山形歯を有する例示的な代替のクランプパッドの斜視図を示す。
【図４０】図１の器具との組込みに好適な転倒した半円形歯を有する例示的な代替のクランプパッドの斜視図を示す。
【図４１】図１の器具との組込みに好適な反対の半円形歯を有する例示的な代替のクランプパッドの斜視図を示す。
【図４２】図１の器具との組込みに好適な二層の鋸歯を有する例示的な代替のクランプパッドの斜視図を示す。
【図４３】図４２のクランプパッドの側面図を示す。
【図４４】図１の器具との組込みに好適なｕ形クランプアーム形状を有する例示的な代替のエンドエフェクタの上面図を示す。
【図４５Ａ】開放形状の図４４のエンドエフェクタの側面図を示す。
【図４５Ｂ】閉鎖形状の図４４のエンドエフェクタの側面図を示す。
【図４６】図４５Ｂの線４６−４６に沿ってとられた図４４のエンドエフェクタの断面図であり、エンドエフェクタの内部にクランプされた組織を示している。
【図４７Ａ】開放形状の、図１の器具との組込みに好適な凹形形状を有する例示的な代替のエンドエフェクタの側面図を示す。
【図４７Ｂ】閉鎖形状の図４７Ａのエンドエフェクタの側面図を示す。
【図４８】図４７Ａのエンドエフェクタの上面図を示す。
【図４９Ａ】開放形状の、図１の器具との組込みに好適な凸形形状を有する例示的な代替のエンドエフェクタの側面図を示す。
【図４９Ｂ】閉鎖形状の図４９Ａのエンドエフェクタの側面図を示す。
【図５０Ａ】開放形状の、図１の器具との組込みに好適な柔軟で真っ直ぐなクランプアームを有する例示的な代替のエンドエフェクタの側面図を示す。
【図５０Ｂ】閉鎖形状の図５０Ａのエンドエフェクタの側面図を示す。
【図５１Ａ】開放形状の、図１の器具との組込みに好適な柔軟な曲がったクランプアームを有する例示的な代替のエンドエフェクタの側面図を示す。
【図５１Ｂ】閉鎖形状の図５１Ａのエンドエフェクタの側面図を示す。
【図５２】図５１Ａのエンドエフェクタと共に使用するオーバーモールドされたクランプパッドを有する例示的な代替のクランプアームの断面図を示す。
【図５３】図５１Ａのエンドエフェクタと共に使用する柔軟な材料を有する例示的な代替のクランプアームの断面図を示す。
【図５４】図５１Ａのエンドエフェクタと共に使用する弾性部材を有する例示的な代替のクランプアームの断面図を示す。
【図５５Ａ】図１の器具との組込みに好適な鈍い切開特徴部を有する例示的な代替のクランプアームの断面図であり、収容位置にある鈍い切開特徴部を示している。
【図５５Ｂ】図５５Ａのクランプアームの断面図であり、展開位置にある鈍い切開特徴部を示している。
【図５６】図５５Ａのクランプアームの上面図であり、収容位置にある鈍い切開特徴部を示している。
【図５７】図５５Ａのクランプアームの側面図であり、組織の鈍い切開を実行する鈍い切開特徴部を示している。
【図５８】図１の器具との組込みに好適な曲がった鈍い切開特徴部を有する例示的な代替のクランプアームの上面図であり、鈍い切開特徴部が収容位置にある。
【図５９】図５８のクランプアームの正面端面図であり、鈍い切開特徴部が展開位置にある。
【図６０】図１の器具との組込みに好適な突起を有する例示的な代替のクランプアームの側面図を示す。
【図６１】図１の器具との組込みに好適な陥凹を有する例示的な代替のクランプアームの側面図を示す。
【図６２Ａ】図１の器具との組込みに好適なコーティングを有する例示的な代替のクランプアームの断面図であり、未充填状態のコーティングを示している。
【図６２Ｂ】図６４Ａのクランプアームの断面図であり、充填状態のコーティングを示している。
【図６３】ポリベンゾイミダゾール／ポリエーテルケトンケトンブレンドで作製された、超音波外科用装置用のクランプパッドが破損するまでの切断回数と、ブレンド中のポリベンゾイミダゾールの割合とを対比するグラフを示す。
【図６４】ポリマーブレンドで作製された脊椎ケージインプラントの等角図を示す。
【図６５】本発明で使用するのに適した非溶融ポリマー、超高性能溶融性担体ポリマー、高性能溶融性担体ポリマー、及び潤滑剤／レオロジー変性充填剤の一覧表である。
【００１１】
図面は、いかなる様式でも限定することを意図するものではなく、本技術の様々な実施形態は、必ずしも図面に示されないものも含め、様々な他の方法で実施し得ることが企図される。本明細書に組み込まれ、本明細書の一部を成す添付の図面は、本技術のいくつかの態様を示しており、その説明と共に本技術の原理を説明するのに役立つものであるが、本技術は、図示される厳密な配置構成に限定されないことは理解される。
【発明を実施するための形態】
【００１２】
本技術の特定の実施例に関する以下の説明は、本技術の範囲を限定するために使用されるべきではない。本技術のその他の実施例、特徴、態様、実施形態、及び利点は、実例として、本技術を実施するために企図される最良の形態の１つである以下の説明から、当業者には明らかとなろう。理解されるように、本明細書で説明される本技術は、全て本技術から逸脱することなく、その他種々の明白な態様が可能である。したがって、図面及び説明を、限定的ではなく、例示的な性質のものとみなすべきである。
【００１３】
本明細書に述べられる教示、表現、実施形態、実施例などの任意の１つ又は２つ以上のものを、本明細書に述べられる他の教示、表現、実施形態、実施例などの任意の１つ又は２つ以上のものと組み合わせることができる点も更に理解されたい。したがって、以下に述べられる教示、表現、実施形態、実施例などは、互いに対して分離して考慮されるべきではない。本明細書の教示に照らして、本明細書の教示を組み合わせることができる様々な適当な方法が、当業者には明らかとなろう。かかる改変例及び変形例は、特許請求の範囲内に含まれるものとする。
【００１４】
本開示の明瞭さのために、「近位」及び「遠位」という用語は、外科用器具の人間又は、ロボットの操作者に対して本明細書で定義する。「近位」という用語は、外科用器具の人間又はロボットの操作者により近く、かつ、外科用器具の外科手術用エンドエフェクタから更に離れた要素の位置を指す。「遠位」という用語は、外科用器具の外科手術用エンドエフェクタにより近く、かつ、外科用器具の人間又はロボットの操作者から更に離れた要素の位置を指す。
【００１５】
Ｉ．例示的な超音波外科用器具
図１は、低侵襲外科手技において（例えば、トロカール又は他の小径アクセスポート等を介して）用いられるように構成されている例示的な超音波手術器具（１０）を示す。器具（１０）の少なくとも一部は、以下の参考文献の教示の少なくとも一部に従って構築及び動作可能であり得る：米国特許第５，３２２，０５５号、同第５，８７３，８７３号、同第５，９８０，５１０号、同第６，３２５，８１１号、同第６，７７３，４４４号、同第６，７８３，５２４号、米国特許公開第２００６／００７９８７４号、同第２００７／０１９１７１３号、同第２００７／０２８２３３３号、同第２００８／０２００９４０号、同第２００９／０１０５７５０号、同第２０１０／００６９９４０号、同第２０１１／００１５６６０号、同第２０１２／０１１２６８７号、同第２０１２／０１１６２６５号、米国特許出願第１３／５３８，５８８号、同第１３／６５７，５５３号、同第６１／４１０，６０３号、及び／又は、同第１４／０２８，７１７号。前述の特許、公開、及び出願のそれぞれの開示内容は、参照により本明細書に組み込まれる。これら文献中に記載され、以下により詳細に記載されるように、器具（１０）は、実質的に同時に、組織を切断し、組織（例えば、血管など）を封止又は溶接するように動作可能である。また、器具（１０）が、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及び／又はＨＡＲＭＯＮＩＣ  ＳＹＮＥＲＧＹ（登録商標）Ｕｌｔｒａｓｏｎｉｃ  Ｂｌａｄｅｓとの種々の構造的及び機能的な類似性を有し得ることを理解されたい。更に、器具（１０）は、本明細書で引用され参照することによって本明細書に組み込まれる他の参考文献のうちのいずれかにおいて教示される装置と、種々の構造的及び機能的な類似性を有し得る。
【００１６】
本明細書に引用される参考文献の教示と、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及び／又はＨＡＲＭＯＮＩＣ  ＳＹＮＥＲＧＹ（登録商標）Ｕｌｔｒａｓｏｎｉｃ  Ｂｌａｄｅｓの教示と、器具（１０）に関する以下の教示との間に何らかの重複が存在する範囲で、本明細書のいかなる説明も、認められた従来技術とみなす意図はない。本明細書のいくつかの教示は、事実、本明細書に引用した参考文献、並びにＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及びＨＡＲＭＯＮＩＣ  ＳＹＮＥＲＧＹ（登録商標）Ｕｌｔｒａｓｏｎｉｃ  Ｂｌａｄｅｓの教示の範囲を超えるであろう。
【００１７】
本実施例の器具（１０）は、エンドエフェクタ（４０）と、シャフトアセンブリ（３０）と、ハンドルアセンブリ（２０）と、を備えている。エンドエフェクタ（４０）は、超音波ブレード（１００）と、超音波ブレード（１００）に向かって及びそれから離れる方に枢動可能であることにより、組織をクランプアーム（４４）と超音波ブレード（１００）との間にクランプして組織を切断及び／又は封止するクランプアーム（４４）と、を備えている。エンドエフェクタ（４０）は、シャフトアセンブリ（３０）を介してハンドルアセンブリ（２０）と連結されている。図２Ａ〜図２Ｂに示すように、シャフトアセンブリ（３０）は、外側シース（３２）と、外側シース（３２）内に摺動自在に配置された内側チューブ（３４）と、内側チューブ（３４）内に配置された導波管（１０２）と、を備えている。以下で更に詳細に論じるように、内側チューブ（３４）の長手方向の並進は、エンドエフェクタ（４０）のクランプアーム（４４）を作動させる。
【００１８】
図２Ｂから最もよくわかるように、内側チューブ（３４）の遠位端部は、クランプアーム（４４）と一体的な一対のピン（３５）を介して、超音波ブレード（１００）の下でクランプアーム（４４）の近位端部と回転可能に連結されており、その結果、外側シース（３２）及びハンドルアセンブリ（２０）に対する内側チューブ（３４）の長手方向並進は、超音波ブレード（１００）に向かって及びそれから離れる方向にピン（４５）の周りでクランプアーム（４４）を回転させることにより、組織をクランプアーム（４４）と超音波ブレード（１００）との間にクランプしてその組織を切断及び／又は封止する。特に、外側シース（３２）及びハンドルアセンブリ（２０）に対する内側チューブ（３４）の近位の長手方向並進は、クランプアーム（４４）を超音波ブレード（１００）に向かって動かし、外側シース（３２）及びハンドルアセンブリ（２０）に対する内側チューブ（３４）の遠位の長手方向並進は、クランプアーム（４４）を超音波ブレード（１００）から離れる方向に動かす。
【００１９】
クランプアーム（４４）は、ブレード（１００）と協働するための、クランプアーム（４４）の上に取り付けられたクランプパッド（５８）を含む。例えば、クランプアーム（４４）の枢動運動は、図２Ｂに示すように、クランプパッド（５８）をブレード（１００）又はブレード（１００）を背にした組織に対して実質的に平行な関係に設置することにより、組織圧縮領域を画定する。この構造によって、組織を、クランプパッド（５８）とブレード（１００）との間にクランプして圧縮する。ブレード（１００）が非起動状態にあるとき、クランプパッド（５８）とブレード（１００）とが協力して、単純な組織把持を提供し得る。以下でより詳細に述べるように、ブレード（１００）が起動状態であるとき、クランプパッド（５８）とブレード（１００）とは、クランプパッド（５８）とブレード（１００）との間で圧縮された組織を切断及び／又は封止し得る。
【００２０】
図３Ａは、ブレード（１００）に面しているクランプパッド（５８）の面を示す。図のように、この実施例のクランプパッド（５８）は、鋸歯状形状のような平滑でない表面を有する遠位部分（５８Ａ）を含むことにより、ブレード（１００）と協働した組織の把持を強化する。鋸歯状形状又は歯は、ブレード（１００）の運動に対するトラクションを提供する。もちろん、鋸歯状形状は、ブレード（１００）の運動に対する組織の運動を防ぐための多くの組織係合表面の１つの例にすぎない。クランプパッド（５８）の遠位部分（５８Ａ）の他の好適な形状は、本明細書の教示を考慮すれば当業者には明らかであろう。例えば、遠位部分（５８Ａ）は、隆起部、十字模様、トレッド模様、ビーズ又はサンドブラストされた表面を含み得る。
【００２１】
クランプパッド（５８）は、近位部分（５８Ｂ）に鋸歯状の歯又は他の組織牽引表面がなくてもよいような、遠位部分（５８Ａ）よりも平滑である近位部分（５８Ｂ）を含んでもよい。クランプパッド（５８）の上の平滑な近位部分（５８Ｂ）を用いることは、近位領域の組織が、ブレード（１００）の振動運動に続いてブレード（１００）のより活性の領域まで遠位に動くことを可能にする。動作中、エンドエフェクタ（４０）の近位領域の組織（部分（５８Ｂ）の範囲）は乾燥して薄くなり得、エンドエフェクタ（４０）の遠位部分（遠位部分（５８Ａ）の範囲）は、その遠位領域の組織を離断することができ、それにより、近位領域の内部の乾燥された薄い組織がエンドエフェクタ（４０）のより活性の領域まで遠位に滑って組織処理を完了することを可能にする。クランプパッド（５８）は、ポリテトラフルオロエチレン（ＰＴＦＥ）又は任意の他の好適な低摩擦材料で作製され得る。
【００２２】
代替実施形態では、更に詳細に説明するように、クランプパッド（５８）は、ポリベンゾイミダゾール（ＰＢＩ）とポリエーテルケトンケトン（ＰＥＫＫ）とのブレンドから形成されてもよい。この種類のブレンドでは、ＰＢＩ材料はＰＥＫＫ材料に可溶性であり、合金が射出成形されることを可能にする。好ましい実施形態はＰＢＩ／ＰＥＫＫブレンドを使用するが、ポリイミド（ＰＩ）、自己強化ポリフェニレン（ＳＲＰ）、ポリアミドイミド（ＰＡＩ）、又は熱可塑性ポリイミド（ＴＰＩ）などの非溶融ポリマーを、ＰＢＩの代替物としてこの合金中で使用してもよい。ポリエーテルエーテルケトン（ＰＥＥＫ）、ポリアリールエーテルケトン（ＰＡＥＫ）、ポリケトンケトンケトン（Polyketoneketoneketone）（ＰＫＫＫ）、ポリアリールエーテルケトン（ＰＡＥＫ）、及びポリアリールエーテルケトン（ＰＥＡＫ）などの超高性能溶融性担体ポリマー、並びに本明細書に記載されるいくつかの高性能溶融性担体ポリマーを、ブレンド中のＰＥＫＫ材料の代替物として使用してもよい。更に、二硫化モリブデン、ポリテトラフルオロエチレン（ＰＴＦＥ）、グラファイト、窒化ホウ素、炭素などの様々な潤滑性物質／レオロジー変性物質、又は当該技術分野で既知の他の潤滑剤／レオロジー変性剤を、ブレンド中の充填剤として使用してもよい。クランプパッド（５８）は、単一の部品に形成され得るか、又はクランプパッド（５８）は、２つの別個の部品によって形成され得る。クランプパッド（５８）の様々な例示的な変形例が、以下でより詳細に述べられるが、クランプパッド（５８）のための更に他の好適な形状が、本明細書の教示を考慮すれば当業者には明らかであろう。
【００２３】
図３Ａ〜図３Ｃに示すように、クランプアーム（４４）は、クランプパッド（５８）を受け取るために様々な形状のスロット（５３ａ、５５ａ）を有する。この構成は、クランプパッド（５８）の誤った装着を防いで、クランプパッド（５８）がクランプアーム（４４）の内部の正しい場所に装着されることを保証し得る。例えば、クランプアーム（４４）は、クランプパッド（５８）の遠位部分（５８Ａ）のＴ形フランジ（５３Ｂ）を受け取るための遠位のＴ形スロット（５３ａ）と、クランプパッド（５８）の近位部分（５８Ｂ）の楔形フランジ（５５Ｂ）を受け取るための近位の楔形又はダブテール形スロット（５５ａ）と、を備える。クランプパッド（５８）は、パッド（５８）をクランプアーム（４４）に固定するために、パッド（５８）をクランプアーム（４４）の内部に設置し、次にクランプアーム（４４）をクランプしてパッド（５８）のフランジ（５３Ｂ、５５Ｂ）をスロット（５３ａ、５３ｂ）の内部にスナップ留めすることによって、クランプアーム（４４）の中に挿入され得る。タブ留め（５１）が、近位のクランプパッド（５８Ｂ）の近位端部を係合して、クランプパッド（５８）をクランプアーム（４４）の上に固定する。フランジ（５３Ｂ、５５Ｂ）及び対応するスロット（５３ａ、５５ａ）は、クランプパッド（５８）をクランプアーム（４４）に固定するための代替の形状及び寸法を有し得ることに留意されたい。更に、他のタブ止め具（５１）が可能であり、クランプパッド（５８）をクランプアーム（４４）に機械的に取り付けるための様々な技術、例えばリベット、接着剤、プレス嵌めなどを使用し得る。
【００２４】
クランプアーム（４４）は、ハンドルアセンブリ（２０）を作動させることによって、ブレード（１００）に対して枢動させられる。図１に戻って参照すると、ハンドルアセンブリ（２０）は、ピストルグリップ（２４）を含む本体（２２）と、一対のボタン（２６）と、ピストルグリップ（２４）に向かって及びそれから離れる方に枢動可能なトリガ（２８）と、を備える。本実施例では、ピストルグリップ（２４）に向かうトリガ（２８）の枢動は、クランプアーム（４４）を超音波ブレード（１００）に向かって動かし、ピストルグリップ（２４）から離れる方へのトリガ（２８）の枢動は、クランプアーム（４４）を超音波ブレード（１００）から離れる方に動かす。しかし、様々な他の好適な構成が用いられ得ることを理解されたい。
【００２５】
図４に示すように、トリガ（２８）を、ピン（２３Ａ）を介してハンドルアセンブリ（２０）に枢動可能に連結することにより、トリガ（２８）は、シャフトアセンブリ（３０）の下方に位置する軸の周りを回転する。トリガ（２８）は、リンケージ（２９）を介してヨーク（２１）と連結されることにより、トリガ（２８）のピン（２３Ａ）の周りでの回転は、ヨーク（２１）を長手方向に並進させる。リンケージ（２９）の第１の端部（２９Ａ）は、ピン（２３Ｂ）を介してトリガー（２８）の近位部分と回転可能に連結されている。リンケージ（２９）の第２の端部（２９Ｂ）は、ピン（２３Ｃ）介して、ヨーク（２６）の近位部分と回転可能に連結されている。一対の細長い楕円形突起（２７）が、本体（２２）の内面から内側に延びている。それぞれの楕円形突起（２７）の内面は、細長い楕円形スロット（２７Ａ）を画定する。ピン（２３Ｃ）が、ヨーク（２６）の近位部分及びリンケージ（２９）の第２の端部（２９Ｂ）を完全に通過することにより、ピン（２３Ｃ）の端部は、ヨーク（２６）の両側から延びている。ピン（２３Ｃ）のこれらの端部は、楕円形スロット（１２７Ａ）の内部に摺動可能に及び回転可能に配置されている。ピン（２３Ｄ）は、ヨーク（２６）の遠位部分を完全に通過することにより、ピン（２３Ｄ）の端部は、ヨーク（２１）の両側から延びている。ピン（２３Ｄ）のこれらの端部は、楕円形スロット（２７Ａ）の内部に摺動可能に及び回転可能に配置されている。したがって、ヨーク（２１）は、近位の長手方向位置と遠位の長手方向位置との間の楕円形スロット（２７Ａ）の内部において、ピン（２３Ｃ、２３Ｄ）を介して長手方向に並進可能であることを理解されたい。更に、トリガ（２８）の近位部分がリンケージ（２９）を介してヨーク（２１）と連結されているので、ピストルグリップ（２４）に向かうトリガ（２８）の枢動は、楕円形スロット（２７Ａ）の内部でのヨーク（２１）の近位の長手方向並進を生じさせ、ピストルグリップ（２４）から離れる方へのトリガ（２８）の枢動は、楕円形スロット（２７Ａ）の内部でのヨーク（２１）の遠位の長手方向並進を生じさせることを理解されたい。
【００２６】
ヨーク（２１）の遠位部分は、連結アセンブリ（３７）を介してシャフトアセンブリ（３０）の内側チューブ（３４）と連結されている。上記で論じたように、内側チューブ（３４）は、外側シース（３２）の内部で長手方向に並進可能である。したがって、内側チューブ（３４）は、ヨーク（２１）と共に長手方向に並進するように構成されていることを理解されたい。更に、ピストルグリップ（２４）に向かうトリガ（２８）の枢動がヨーク（２１）の近位の長手方向並進を生じさせるので、ピストルグリップ（２４）に向かうトリガ（２８）の枢動は、外側シース（３２）及びハンドルアセンブリ（２０）に対する内側チューブ（３４）の近位の長手方向並進を生じさせることを理解されたい。最終的に、ピストルグリップ（２４）から離れる方へのトリガ（２８）の枢動がヨーク（２１）の遠位の長手方向並進を生じさせるので、ピストルグリップ（２４）から離れる方へのトリガ（２８）の枢動は、外側シース（３２）及びハンドルアセンブリ（２０）に対する内側チューブ（３４）の遠位の長手方向並進を生じさせることを理解されたい。図４に示すように、バネ（３６）は、ハンドルアセンブリ（２０）の本体（２２）の近位端部の内部に位置付けられている。バネ（３６）は、本体（２２）の一部分及びヨーク（２１）の近位端部を遠位に圧迫し、それにより、ヨーク（２１）を遠位部分に向かって付勢する。ヨーク（２１）を遠位位置に向かって付勢すると、内側チューブ（３４）は、遠位に付勢され、更に、トリガ（２８）は、ピストルグリップ（２４）から離れる方向に付勢される。クランプアーム（４４）は、このように、図２Ａに示す開位置まで弾力的に付勢される。
【００２７】
図１に示すように、超音波トランスデューサアセンブリ（１２）は、ハンドルアセンブリ（２０）の本体（２２）から近位に延びている。以下でより詳細に論じられるように、トランスデューサアセンブリ（１２）は、発電機（１６）から電力を受け取り、以下で一層詳細に論じられるように、圧電原理によってその電力を超音波振動に変換する。発電機（１６）は、電源、及びトランスデューサアセンブリ（１２）による超音波振動の生成に特に適したトランスデューサアセンブリ（１２）に電力プロファイルを提供するように構成された制御モジュールを含んでもよい。ほんの一例として、発電機（１６）は、Ｅｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）により販売されているＧＥＮ  ３００を含むことができる。追加的に又は代替的に、発電機（１６）は、その開示が、本明細書において、参照することにより組み込まれる２０１１年４月１４日公開の「Ｓｕｒｇｉｃａｌ  Ｇｅｎｅｒａｔｏｒ  ｆｏｒ  Ｕｌｔｒａｓｏｎｉｃ  ａｎｄ  Ｅｌｅｃｔｒｏｓｕｒｇｉｃａｌ  Ｄｅｖｉｃｅｓ」という名称の米国特許公開第２０１１／００８７２１２号の教示の少なくともいくつかに従って構築され得る。また、発電機（１６）の機能性の少なくとも一部を、ハンドルアセンブリ（２０）に組み入れることができ、ハンドルアセンブリ（２０）は、電池又は他の搭載された電源を更に含み得、その結果、ケーブル（１４）が省略されることも理解されたい。発生器（１６）が取り得るなお他の好適な形態、並びに発生器（１６）が提供し得る種々の特徴及び動作性は、本明細書の教示を考慮すれば、当業者には明らかであろう。
【００２８】
図１に示すように、本実施例のトランスデューサアセンブリ（１２）は、ケーブル（１４）を介して発電機（１６）に連結される管形の構成要素であるが、トランスデューサアセンブリ（１２）が、トランスデューサアセンブリ（１２）がコードレスであるように、器具（１０）と一体である電源から電力を受け取り得ることを理解されたい。図５に示すように、本実施例のトランスデューサアセンブリ（１２）は、ハウジング（６０）を含み、そのハウジングは、トランスデューサアセンブリ（１２）の超音波振動要素から音響的に絶縁されている。トランスデューサアセンブリ（１２）の遠位端部は、第１の導電性リング（６５）と第２の導電性リング（６４）とを含み、それらのリングは、両方ともトランスデューサアセンブリ（１２）のハウジング（６０）の内部に配置されている。第１の導電性リング（６５）は、ハウジング（６０）と角状部（６６）との間に配置されているリング部材を備え、そのリング部材は、ハウジング（６０）から遠位に延びる。角状部（６６）は、角状部（６６）が導波管（１０２）の近位端部に形成されたネジ孔（１０４）（図４を参照）とネジ止めにより連結され得るように、角状部（６６）から遠位に延びているネジ付きスタッド（６７）を備える。第１の導電性リング（６５）は、変換器空洞（６２）の内部でフランジ（６１）に隣接して形成されるか又はその一部分として形成され、その結果、第１の導電性リング（６５）は、第２の導電性リング（６４）及びトランスデューサアセンブリ（１２）の他の導電性構成要素から電気的に絶縁されている。第１の導電性リング（６５）は、ハウジング（６０）から遠位に延びている非導電性プラットフォームの上に位置する。第１の導電性リング（６５）は、ハウジング（６０）の内部の１つ又は２つ以上の電線又は導電性エッチング（図示せず）によって、図１に示すケーブル（１４）のようなケーブルに電気的に連結されている。
【００２９】
トランスデューサアセンブリ（１２）の第２の導電性リング（６４）は、同様に、ハウジング（６０）と角状部（６６）との間に配置されたリング部材を備える。第２の導電性リング（６４）は、第１の導電性リング（６５）と角状部（６６）との間に配置されている。図５に示すように、第１及び第２の導電性リング（６４、６５）は、相互から長手方向にずれている同軸部材であり、導電性リング（６５）はまた、導電性リング（６４、６５）によって共有された中心軸からより大きい半径方向距離に位置付けられている。第２の導電性リング（６４）は、第１の導電性リング（６５）及びトランスデューサアセンブリ（１２）の他の導電性構成要素から同様に電気的に絶縁されている。第１の導電性リング（６５）と同様に、第２の導電性リング（６４）は、非導電性プラットフォームから延びる。１つ又は２つ以上の座金形スペーサ（６３）が、第１の導電性リング（６４）と第２の導電性リング（６５）との間に、又は、トランスデューサアセンブリ（１２）のリング（６４、６５）と他の部材との間に配置され得る。第２の導電リング（６４）はまた、ハウジング（６０）の内部の１つ又は２つ以上の電線又は導電エッチング（図示せず）によって、図１に示すケーブル（１４）のようなケーブルに電気的に連結されている。単に例示的な１つの好適な超音波トランスデューサアセンブリ（１２）は、Ｅｔｈｉｃｏｎ  Ｅｎｄｏ−Ｓｕｒｇｅｒｙ  Ｉｎｃ．（Ｃｉｎｃｉｎｎａｔｉ，Ｏｈｉｏ）により販売されているＭｏｄｅｌ  Ｎｏ．ＨＰ０５４である。
【００３０】
前に論じたように、トランスデューサアセンブリ（１２）の遠位端部は、角状部（６６）のネジ付きスタッド（６７）を介して、導波管（１０２）の近位端部に形成されたネジ孔（１０４）とネジ止めにより連結する。トランスデューサアセンブリ（１２）の遠位端部はまた、第１及び第２の導電性リング（６４、６５）を介して１つ又は２つ以上の電気接続部（図示せず）とインターフェースをとって、トランスデューサアセンブリ（１２）をボタン（２６）に電気的に連結させることにより、手術器具（１０）の使用中にトランスデューサアセンブリ（１２）を起動させるための指操作制御手段をユーザに提供する。いくつかの変形例では、第１及び第２の導電性リング（６４、６５）が、トランスデューサアセンブリ（１２）の遠位端から省略されてもよく、ボタン（１２６）へのトランスデューサアセンブリ（１２）の電気的連結は、トランスデューサアセンブリ（１２）の近位端部にある導体、トランスデューサアセンブリ（１２）のハウジング（６０）の側面に沿って位置する導体、ケーブル（１４）から直接、及び／又は本明細書の教示を考慮すれば当業者には明らかであろう任意の他の構造及び構成のような代替構造によって達成され得る。
【００３１】
図６は、ハウジング（６０）が取り外されているトランスデューサアセンブリ（１２）を示す。トランスデューサアセンブリ（１２）の遠位端部近傍にある取付けフランジ（６８）及びトランスデューサアセンブリ（１２）の近位端部にある圧電スタック（６９）を、ハウジング（６０）が取り外されることによって見ることができる。本実施例のトランスデューサアセンブリ（１２）がボタン（２６）を介して起動されると、圧電スタック（６９）の中に電場が作り出され、その結果、圧電スタック（６９）及び角状部（６６）は、ハウジング（６０）の内部でかつそれに対して振動する。取付けフランジ（６８）は、角状部（６６）をハウジング（６０）に連結することによって、ハウジング（６０）の中に圧電スタック（６９）を支持するために用いられる。取付けフランジ（６８）は、圧電スタック（６９）及び角状部（６６）によって伝達される共振超音波振動と関連しているノードに位置する。トランスデューサアセンブリ（１２）は、（５５．５ｋＨｚのような）超音波周波数において機械的エネルギー又は振動を作り出すように作動可能である。トランスデューサアセンブリ（１２）が、角状部（６６）を介して導波管（１０２）に連結されている場合、このような機械的振動は、導波路（１０２）を通してエンドエフェクタ（４０）の超音波ブレード（１００）まで伝達される。本実施例では、導波路（１０２）に結合されている超音波ブレード（１００）は、超音波周波数で振動する。したがって、組織が超音波ブレード（１００）とクランプアーム（４４）との間に固定されると、超音波ブレード（１００）の超音波振動が、組織を切断及び／又は封止し得る。トランスデューサアセンブリ（１２）についてのいくつかの例示的な特徴及び構成を述べてきたが、トランスデューサアセンブリ（１２）についての更なる他の好適な特徴及び構成が、本明細書の教示を考慮すれば当業者には明らかであろう。
【００３２】
トランスデューサアセンブリ（１２）によって生成される超音波振動は、図２Ａ〜図２Ｂに示すように、シャフトアセンブリ（３０）を通って延びる音響導波管（１０２）に沿って伝達されて、超音波ブレード（１００）に到達する。図４に示すように、導波管（１０２）は、導波管（１０２）及びシャフトアセンブリ（３０）を貫通するピン（３３）を介してシャフトアセンブリ（３０）の内部に固定されている。ピン（３３）は、導波管（１０２）の長さに沿った、導波管（１０２）を通って伝達される共振超音波振動に関連するノードに対応する位置にある。上記のように、超音波ブレード（１００）が起動状態にある（すなわち、超音波振動している）とき、超音波ブレード（１００）は、特にクランプアーム（４４）と超音波ブレード（１００）との間で組織が圧縮されているとき、組織を効果的に切断し、封止するように動作可能である。導波管（１０２）は、導波管（１０２）を通って伝達される機械的振動を増幅するように構成することができることを理解されたい。更に、導波管（１０２）は、長手方向の振動の利得を導波管（１０２）に沿って制御するように動作可能な特徴部、及び／又は導波管（１０２）をシステムの共振周波数に同調させる特徴部を含み得る。
【００３３】
本実施例では、組織による負荷が音響アセンブリに加えられていないとき、好ましい共振周波数ｆｏに音響アセンブリを同調させるために、超音波ブレード（１００）の遠位端は、導波管（１０２）を通って伝達される共振超音波振動に関連するアンチノードに対応する位置にある。トランスデューサアセンブリ（１２）が通電されると、超音波ブレード（１００）の遠位端部は、例えば５５．５ｋＨｚの規定振動周波数ｆｏにおいて、ピーク間が例えば約１０〜５００マイクロメートルの範囲、場合によっては約２０〜約２００マイクロメートルの範囲で、長手方向に移動するように構成されている。本実施例のトランスデューサアセンブリ（１２）を起動させると、これらの機械的発振が導波管（１０２）を通して伝達されて超音波ブレード（１００）に達し、それによって共振超音波周波数での超音波ブレード（１００）の発振が提供される。したがって、組織が超音波ブレード（１００）とクランプパッド（５８）との間に固定されると、超音波ブレード（１００）の超音波振動が組織を切断するのと同時に隣接組織細胞内のタンパク質を変性させることによって、比較的少量の熱分散しか伴わない凝固効果がもたらされ得る。いくつかの変形形態では、電流はまた、超音波ブレード（１００）又はクランプパッド（５８）の一方又は両方を通して提供されて、組織を電気焼灼し得る。例えば、単極又は双極のＲＦエネルギーが、超音波ブレード（１００）又はクランプパッド（５８）の一方又は両方を通して提供され得る。音波伝達アセンブリ及びトランスデューサアセンブリ（１２）の一部の構成について記述してきたが、音波伝達アセンブリ及びトランスデューサアセンブリ（１２）の他の更に好適な構成は、本明細書の教示を考慮すれば当業者には明らかであろう。同様に、本明細書の教示を考慮することで、エンドエフェクタ（４０）の他の好適な構成も、当業者に明らかになるであろう。
【００３４】
操作者は、ボタン（２６）を起動させてトランスデューサアセンブリ（１２）を選択的に起動させ、それによって超音波ブレード（１００）を起動させ得る。本実施例では、低電力で超音波ブレード（１００）を起動させる１つのボタンと、高電力で超音波ブレード（１００）を起動させるもう１つのボタンとの２つのボタン（２６）が提供される。しかしながら、任意の他の好適な数のボタン及び／又は他の何らかの方法で選択可能な電力レベルが提供されてもよいことを理解されたい。本実施例のボタン（２６）は、操作者が片手で器具（１０）を容易かつ完全に操作できるように位置付けられる。例えば、操作者は、親指をピストルグリップ（２４）付近に置き、中指をリングに置き、及び／又は小指をトリガ（２８）付近に置き、そして、人差し指を用いてボタン（２６）を操作し得る。言うまでもなく、器具（１０）を担持して操作するために、任意の他の好適な技術を用いることができ、ボタン（２６）は、任意の他の好適な位置にあってもよい。様々な他の種類のユーザ入力特徴部を、トランスデューサアセンブリ（１２）を選択的に起動させるために用い得ることも理解されたい。例えば、トランスデューサアセンブリ（１２）を選択的に起動させるために、フットペダルを提供してもよい。
【００３５】
器具（１０）の前述の構成要素及び動作性はあくまで例示である。器具（１０）は、本明細書の教示を考慮することで当業者には明らかとなるであろう様々な他の方法で構成することができる。ほんの一例として、器具（１０）の少なくとも一部は、その開示内容の全てが参照により本明細書に組み込まれる次の特許文献のいずれかの教示の少なくともいくつかに従って構築されてもよく、及び／又は動作可能であってもよい：米国特許第５，３２２，０５５号、同第５，８７３，８７３号、同第５，９８０，５１０号、同第６，３２５，８１１号、同第６，７８３，５２４号、米国特許公開第２００６／００７９８７４号、同第２００７／０１９１７１３号、同第２００７／０２８２３３３号、同第２００８／０２００９４０号、同第２０１０／００６９９４０号、同第２０１１／００１５６６０号、同第２０１２／０１１２６８７号、同第２０１２／０１１６２６５号、米国特許出願第１３／５３８，５８８、及び／又は同第１３／６５７，５５３号。器具（１０）の追加的な単に例示としての変形例を以下でより詳細に説明する。以下に説明する変形例は、とりわけ、上述した器具（１０）及び本明細書に引用した参考文献のいずれかに言及される任意の器具に容易に適用され得ることを理解されたい。
【００３６】
ＩＩ．例示的なクランプパッド保持変形物
いくつかの例では、クランプパッド（５８）は、クランプアーム（４４）から不必要に取り外され得る。例えば、ユーザは、クランプアーム（４４）からクランプパッド（５８）を間違って取り外そうと試みる場合がある。したがって、クランプアーム（４４）からクランプパッド（５８）を取り外すことをより困難にすることが望ましい場合がある。付加又は代替として、例えば、クランプパッド（５８）とクランプアーム（４４）との間の関係を、クランプパッド（５８）が上記のものと異なる方法でクランプアーム（４４）に固定されるように変更すべき他の理由が存在し得る。クランプパッド（５８）とクランプアーム（４４）との間の様々な例示的な代替関係が、以下でより詳細に述べられるが、更に他の例示的な代替関係が、本明細書における教示を考慮すれば当業者には明らかであろう。当業者には明らかなように、以下の実施例は、容易に器具（１０）に取り込まれて、下記の様々な教示が、本明細書の教示を考慮することで当業者には明らかとなるであろう上記の様々な教示と容易に結合され得ることを理解されたい。
【００３７】
Ａ．オーバーモールドされたクランプパッドを有する例示的なクランプアーム
図７は、例示的なクランプアーム（１４４）を示し、それは、クランプアーム（１４４）がクランプパッド（５８）を受け取るためのスロット（５３ａ、５５ａ）を含まないことを除いて、クランプアーム（４４）に類似している。その代わりに、クランプパッド（１５８）はオーバーモールド技術（図９〜１０）を介してクランプアーム（１４４）に固定されている。本実施例のクランプアーム（１４４）は、一対の取付け拡張部（１５６）を含む。各拡張部（１５６）は、それぞれのピン（１３５）及びピン開口部（１４６）を有する。本実施例のクランプアーム（１４４）は、アルミニウムから形成されている。しかし、任意の他の好適な材料又は材料の組み合わせが、クランプアーム（１４４）を形成するために用いられ得る。
【００３８】
図８は、例示的なモールド（２００）を示し、それは、クランプアーム（１４４）の上にクランプパッド（１５８）を形成することによって、クランプアーム（１４４）を用いてクランプパッド（１５８）を固定するために用いられ得る。モールド（２００）は、陥凹（２３４）、一対の孤立ポスト（２４８）、及びチャネル（２４６）を含む。陥凹（２３４）は、クランプアーム（１４４）を補完するような形状であるが、寸法はクランプアーム（１４４）よりも大きい。孤立ポスト（２４８）は、クランプアーム（１４４）を陥凹（２３４）の内部に支持するように構成されており、陥凹（２３４）の表面とクランプアーム（１４４）の外面との間に隙間を提供する。クランプアーム（１４４）は、次に、クランプアーム（１４４）の近位部分にある拡張部（１５６）が、モールド（２００）の近位部分の上の拡張部（２５６）の内部に位置付けられるように、陥凹（２３４）の内部に置かれる。モールド（２００）の拡張部（２５６）は、クランプアーム（１４４）の拡張部（１５６）を係合するような寸法にされ、それによって、クランプアーム（１４４）をモールド（２００）に対して適所に保持し得る。クランプアーム（１４４）は、次に、モールド（２００）の内部に封入され得る。例えば、任意の好適な形状を有する別の金属プレートが、クランプアーム（１４４）をモールド（２００）の内部に封入するためにモールド（２００）の上に置かれてもよい。クランプアーム（１４４）をモールド（２００）の中に封入する他の好適な方法は、本明細書における教示を考慮すれば当業者には明らかであろう。
【００３９】
チャネル（２４６）が、陥凹（２３４）の近位部分を横断して横方向に延びる。チャネル（２４６）は、スプルー供給装置と流体連通し得る。ポリテトラフルオロエチレン（ＰＴＦＥ）のようなコーティング材料及び／又は他の（単数又は複数の）材料が、次に、チャネル（２４６）を通してモールド（２００）の中に導入され得る。導入されたコーティング材料は、陥凹（２３４）を充填することにより、図９〜図１０に示すように、クランプパッド（１５８）を形成するためにクランプアーム（１４４）の遠位部分をコーティングする。コーティング材料が近位に陥凹（２３４）を充填するにつれて、コーティング材料は、次に、対向するチャネル（２４６）を通ってモールド（２００）から外に流れる。コーティング材料が出口チャネル（２４６）から外に流れ出るとき、クランプアーム（１４４）の拡張部（１５６）は、コーティングされていない状態のままであり得る。したがって、クランプパッド（１５８）は、ワンショットコーティングプロセスによる機械的及び熱的結合によって、クランプアーム（１４４）に固定される。図９〜１０に示すように、クランプパッド（１５８）が、クランプアーム（１４４）の遠位部分全体を取り囲むように、クランプアーム（１４４）の上に成形されている。他の変形形態では、クランプパッド（１５８）は、クランプアーム（１４４）の遠位部分がブレード（１００）に隣接しているように、クランプアーム（１４４）の選択された部分を覆ってもよい。他の選択されるコーティング領域が、本明細書の教示を考慮すれば当業者には明らかであろう。成形プロセスによって、様々な表面特徴部がクランプパッド（１５８）の組織接触領域（１５９）に形成され得ることも理解されたい。そのような表面特徴部のいくつかの単なる例示的な実施例が以下でより詳細に述べられるが、他の実施例が、本明細書における教示を考慮すれば当業者には明らかであろう。
【００４０】
クランプアーム（１４４）がモールド（２００）から取り外されると、オーバーモールドされたクランプパッド（１５８）を有するクランプアーム（１４４）は、次に、クランプアーム（１４４）の一体的なピン（１３５）を介して、シャフトアセンブリ（３０）の内側チューブ（３４）と連結され得る。オーバーモールドされたクランプパッド（１５８）を有するクランプアーム（１４４）はまた、ピン（４５）をクランプアーム（１４４）にある開口部（１４６）を通して設置することによって、シャフトアセンブリ（３０）の外側シース（３２）と連結され得る。
【００４１】
いくつかの変形形態では、クランプアーム（１４４）は追加の連結装置（２６０）を介して内側チューブ（３４）と連結されている。図１１は、別の例示的なクランプアーム（２４４）を示し、それは、クランプアーム（２４４）がオーバーモールドされたクランプパッド（２５８）を備えているという点でクランプアーム（１４４）に類似している。しかし、この実施例のクランプアーム（２４４）は、連結装置（２６０）の内部に挿入されるように構成されている近位の拡張部（２４２）を備える。本実施例では、クランプパッド（２５８）は、拡張部（２４２）の遠位に成形されている。図１２〜図１３に示すように、連結装置（２６０）は、遠位部分（２６１）及び一対の近位の拡張部（２６３）を備える。遠位部分（２６１）は、クランプアーム（２４２）の拡張部（２４２）を受け取るように構成されている開口部（２６６）を画定する。近位の拡張部（２６３）は、連結装置（２６０）を器具（１０）の内側チューブ（３４）と共に組み立てるために用いられる開口部（２６４）を画定する。
【００４２】
図１４は、連結装置（２６０）と共に組み立てられたクランプアーム（２４４）を示す。クランプアーム（２４４）の拡張部（２４２）は、連結装置（２６０）の開口部（２６６）の内部に挿入されている。開口部（２６６）は、クランプアーム（２４４）との摩擦嵌合を提供するような寸法にされて、連結装置（２６０）に対して適所にクランプアーム（２４４）を固定し得る。連結装置（２６０）は、弾性部材（図示せず）を更に含み得、それは、拡張部（２４２）が連結装置（２６０）の内部に挿入されると、クランプアーム（２４４）の拡張部（２４２）を係合するように弾力的に付勢されている。したがって、支援ツールが、連結装置（２６０）を用いてクランプアーム（２４４）を挿入及び／又は取り外すために使用され得る。クランプアーム（２４４）を連結装置（２６０）の内部に固定する他の好適な方法が、本明細書における教示を考慮すれば当業者には明らかであろう。図１４に示すように、クランプアーム（２４４）の近位端部は、連結装置（２６０）の拡張部（２６３）を係合する。連結装置（２６０）は、ピン（３５）と類似の、一体的な内向きのピンを含むことにより、連結装置（２６０）を内側チューブ（３４）に枢動可能に連結し得る。拡張部（２６３）は、ピン（４５）を連結装置（２６０）の開口部（２６４）を通して設置することによって、器具（１０）の外側シース（３２）と連結され得る。連結装置（２６０）は、したがって、クランプアーム（２４４）によるクランプを繰り返し行い得る。いくつかの変形形態では、クランプアーム（２４４）及びオーバーモールドされたクランプパッド（２５８）は、使用後にクランプアーム（２４４）及びクランプパッド（２５８）を個別に廃棄するために、連結装置（２６０）を器具（１０）から取り外すことなく連結装置（２６０）から取り外され得る。他の連結構成が、本明細書における教示を考慮すれば当業者には明らかであろう。
【００４３】
Ｂ．例示的な締結アーム保持タブ
図１５は、クランプアーム（３４４）を示し、クランプアーム（３４４）が、複数の内側を向いているタブ（３４８）を備えることを除いて、クランプアーム（４４）に類似している。タブ（３４８）は、クランプアーム（３４４）から上方に延び、相互に向かって内側に向いている。タブ（３４８）が、相互に向かって内側に曲げられる前に、クランプパッド（５８）に類似しているクランプパッド（３５８）がクランプアーム（３４４）の内部に挿入され得る。タブ（３４８）は、次に、相互に向かって内側に曲げられて、クランプパッド（３５８）をクランプアーム（３４４）の中に保持し得る。クランプアーム（３４４）は、次に、クランプアーム（４４）に関して前に述べたように、内側チューブ（３４）及び外側シース（３２）と連結され得る。クランプアーム（３４４）の中にクランプパッド（３５８）を保持することに加えて、タブ（３４８）は、把持する歯として更に用いられて、組織をクランプアーム（３４４）と超音波ブレード（１００）との間に把持することを助け得る。
【００４４】
いくつかの変形形態では、器具（１０）は、ＲＦエネルギーを組織に印加することによって、組織を封止するように動作可能であり得る。ＲＦエネルギーを組織に印加することによって組織を封止するように動作可能である手術器具の実施例は、Ｅｔｈｉｃｏｎ  Ｅｎｄｏ−Ｓｕｒｇｅｒｙ  Ｉｎｃ．（Ｃｉｎｃｉｎｎａｔｉ，Ｏｈｉｏ）によるＥＮＳＥＡＬ（登録商標）Ｔｉｓｓｕｅ  Ｓｅａｌｉｎｇ  Ｄｅｖｉｃｅである。そのような装置及び関連コンセプトの更なる実施例は、２００８年４月８日に発行された「Ｅｌｅｃｔｒｏｓｕｒｇｉｃａｌ  Ｉｎｓｔｒｕｍｅｎｔ  ａｎｄ  Ｍｅｔｈｏｄ  ｏｆ  Ｕｓｅ」という名称の米国特許第７，３５４，４４０号、）に開示されており、その開示内容は、参照することによって本明細書に援用される。器具（１０）のＲＦエネルギー送達能力は、上記で引用された参考文献の教示のうちの少なくともいくつかに従って提供され得る。ＲＦエネルギー送達能力を含む器具（１０）の変形形態において、タブ（３４８）が、ＲＦ電極として更に用いられ得る。単に実施例として、各タブ（３４８）は、単極のＲＦ電気メス用の分離した活性電極として用いられ得る。別の単に例示的な実施例として、タブ（３４８）は対で用いられて、双極のＲＦ電気メスを提供し得る。タブ（３４８）についての他の好適な構成及び動作性は、本明細書における教示を考慮すれば当業者には明らかであろう。
【００４５】
Ｃ．例示的なクランプパッドキャリア
図１６は、クランプアーム（４４４）と、キャリア（４６０）と、クランプパッド（４５８）とを含む例示的なクランプアームアセンブリ（４４０）を示す。図１７に示すように、クランプアーム（４４４）は、クランプアーム（４４４）が、クランプアーム（４４４）の遠位部分を通って延びている複数のスロット（４４８）を備えることを除いて、クランプアーム（４４）に類似している。図１８は、拡張部（４６２）と、保持壁（４６４）と、チャネル（４６６）とを備えているキャリア（４６０）を示す。複数の拡張部（４６４）がキャリア（４６０）から外側に延びていて、クランプアーム（４４４）のスロット（４４８）の内部に挿入されるように構成されている。キャリア（４６０）の壁（４６４）が内側に延びて、キャリア（４６０）を通って長手方向に延びているチャネル（４６６）を形成する。クランプパッド（４５８）は、キャリア（４６０）のチャネル（４６６）の内部に挿入されるように構成されている。図１９に最もよく示すように、クランプパッド（４５８）は、クランプパッド（４５８）の両側に棚（４５６）を備え、キャリア（４６０）の対応する壁（４６４）を相補及び係合する。
【００４６】
図２０〜図２１に示すようなクランプアームアセンブリ（４４０）を形成するために、クランプパッド（４５８）がキャリア（４６０）のチャネル（４６６）の内部に挿入される。キャリア（４６４）の壁（４６４）は、キャリア（４６０）の内部にクランプパッド（４５８）を維持するために、クランプパッド（４５８）の棚（４５６）を係合する。クランプパッド（４５８）の一部分は、キャリア（４６０）を越え、壁（４６４）を通過して延びて、超音波ブレード（１００）又は超音波ブレード（１００）を背にした組織を係合する。キャリア（４６０）の中にクランプパッド（４５８）が挿入されている状態で、キャリア（４６０）は、次に、クランプアーム（４４４）の内部に挿入されることにより、キャリア（４６０）の拡張部（４６２）は、クランプアーム（４４４）のスロット（４４８）の内部に位置付けられる。本実施例では、拡張部（４６２）は、外部表面クランプアーム（４４４）を越えて延びる。拡張部（４６２）の露出部分は、接着剤、熱ステーキング、超音波ステーキング、及び／又は本明細書における教示を考慮すれば当業者には明らかなような任意の他の好適な技術を用いて、クランプアーム（４４４）に更に固定されている。拡張部（４６２）は、それによって、キャリア（４６０）をクランプアーム（４４４）に対して固定する。いくつかの他の変形形態では、拡張部（４６２）は、クランプアーム（４４４）の内部に埋め込まれる。一旦、キャリア（４６０）がクランプアーム（４４４）に固定されると、クランプアームアセンブリ（４４０）は、次に、ピン（４５）をクランプアーム（４４４）の上の開口部（４４６）を通して設置することによって、シャフトアセンブリ（３０）の外側チューブ（３２）と連結され得る。クランプアーム（４４４）は、ピン（３５）と類似の、一体的な内側を向いているピンを含んで、クランプアーム（４４４）を内側チューブ（３４）に枢動可能に固定することができる。他の連結構成が、本明細書における教示を考慮すれば当業者には明らかであろう。
【００４７】
Ｄ．例示的なかかり付きクランプアーム
図２２は、別の例示的なクランプアーム（５４４）を示し、それは、この実施例のクランプアーム（５４４）が、クランプアーム（５４４）の内壁（５４８）から外側に延びている複数のかかり（５６０）を備えることを除いて、クランプアーム（４４）に類似している。図２２において、かかり（５６０）は、クランプアーム（５４４）の底面から延びているように示されているが、かかり（５６０）は、クランプアーム（５４４）の任意の内面から延びていてもよい。かかり（５６０）は、任意の好適なプロセス、例えば、機械加工、成形、鋳造、育成、ＭＥＭＳプロセスなどによってクランプアーム（５４４）の内壁（５４８）の上に形成され得る。図２４に最もよく示すように、各かかり（５６０）は、かかり（５６０）から外側に突出する突起（５６２）を備える。かかり（５６０）は、したがって、クランプパッド（５５８）を係合して、クランプパッド（５５８）をクランプアーム（５４４）に対して固定し得る。図２３は、かかり（５６０）に対応する複数の開口部（５５６）を画定するクランプパッド（５５８）の変形を示す。したがって、図２４に示すように、クランプパッド（５５８）がクランプアーム（５４４）の内部に挿入されることにより、かかり（５６０）は、クランプパッド（５５８）の開口部（５５６）の内部に位置付けられている。
【００４８】
いくつかの変形形態では、開口部（５５６）は、クランプパッド（５５８）から省略されることにより、かかり（５６０）は、クランプパッド（５５８）の外面を通してその中へと駆動される。クランプパッド（５５８）は、クランプパッド（５５８）を予熱することを伴わずに、かかり（５６０）の上に押圧され得る。代替として、クランプパッド（５５８）及び／又はクランプアーム（５４４）は、かかり（５６０）の周りにクランプパッド（５５８）を形成することを支援するために予熱され得る。いくつかの変形例では、かかり（５６０）は、Ｔ形のナノネイルと置換される。かかり（５６０）のための他の好適な構成が、本明細書における教示を考慮すれば当業者には明らかであろう。一旦、クランプパッド（５５８）がクランプアーム（５４４）に固定されると、クランプアーム（５４４）は、次に、ピン（４５）をクランプアーム（５４４）の上の開口部（５４６）を通して設置することよって、シャフトアセンブリ（３０）の外側チューブ（３２）と連結され得る。クランプアーム（５４４）は、ピン（３５）と類似の、一体的な内側を向いているピンを含んで、クランプアーム（５４４）を内側チューブ（３４）に枢動可能に固定することができる。他の連結構成が、本明細書における教示を考慮すれば当業者には明らかであろう。
【００４９】
Ｅ．例示的な横方向溝付きクランプアーム
図２５〜２６は、別の例示的なクランプアーム（６４４）を示し、それは、この実施例のクランプアーム（６４４）が、クランプアーム（６４４）にわたって横方向に延びている複数の溝（６４８）を備えることを除いて、クランプアーム（４４）に類似している。図２６に最もよく示すように、溝（６４８）は、保持面積を拡張するために、クランプアーム（６４４）を斜角で横切って延びている。この実施例では、溝（６４８）は、クランプアーム（６４４）の縦軸に対して斜角で延びているが、溝（６４８）は、相互に平行である経路に沿って延びている。いくつかの他の変形形態では、溝（６４８）は、クランプアーム（６４４）の縦軸に垂直であるそれぞれの経路に沿って、クランプアーム（６４４）を横切って延びている。溝（６４８）は、クランプパッド（６５８）の相補的な突起（６５６）を受け取るように構成されている。クランプパッド（６５８）は、突起（６５６）がクランプパッド（６５８）の縦軸に対して斜めの経路に沿ってクランプパッド（６５８）から外側に延びることを除いて、クランプパッド（５８）に類似している。本実施例では、突起（６５６）と溝（６４８）とは、溝（６４８）の内部に突起（６５６）を保持するためのダブテール構成を有する。もちろん、他の好適な構成が、本明細書における教示を考慮すれば当業者には明らかであろう。したがって、図２５に示すように、クランプパッド（６５８）は、クランプアーム（６４４）の溝（６４８）がクランプパッド（６５８）の突起（６５６）を受け取るようにクランプアーム（６４４）の内部に挿入されることにより、クランプアーム（６４４）に対してクランプパッド（６５８）を保持する。
【００５０】
一旦、クランプパッド（６５８）がクランプアーム（６４４）に固定されると、クランプアーム（６４４）は、次に、ピン（４５）をクランプアーム（６４４）の上の開口部（６４６）を通して設置することよって、シャフトアセンブリ（３０）の外側チューブ（３２）と連結され得る。クランプアーム（６４４）は、ピン（３５）と類似の、一体的な内側を向いているピンを含むことにより、クランプアーム（６４４）を内側チューブ（３４）に枢動可能に固定することができる。他の連結構成が、本明細書における教示を考慮すれば当業者には明らかであろう。
【００５１】
Ｆ．Ｔ形スロットを有する例示的なクランプアーム
図２７Ａ〜２７Ｂは、器具（１０）と共に使用するための別の例示的なクランプアーム（７４４）を示す。クランプアーム（７４４）は、クランプアーム（７４４）が遠位のＴ形スロット（７４９）及び近位の楔形又はダブテール形のスロット（７４７）を含むという点において、クランプアーム（４４）に類似している。Ｔ形スロット（７４９）は、クランプアーム（４４）のＴ形スロット（５３ａ）に類似し、楔形スロット（７４７）は、クランプアーム（４４）の楔形スロット（５５ａ）に類似している。しかし、図２７Ａに示すように、クランプアーム（７４４）のＴ形スロット（７４９）は、クランプアーム（４４）のＴ形スロット（５３ａ）よりも長く遠位に延びている。したがって、本実施例の楔形スロット（７４７）は、クランプアーム（４４）の楔形スロット（５５ａ）より短い。このことは、クランプパッド（５８）をクランプアーム（７４４）の内部に保持する助けとなり得る。図２７Ｂに示すように、クランプアーム（７４４）は、Ｔ形スロット（７４９）を有する遠位部分（７４５）、及び楔形スロット（７４７）を有する近位部分（７４３）を備えている。これにより、クランプアーム（７４４）の機械加工を可能にすることにより、部品が機械加工された後に、遠位部分（７４５）が近位部分（７４３）と組み立てられる。もちろん、クランプアーム（７４４）は１つの一体的な部品から形成されてもよい。他の好適なスロット（７４７、７４９）構成が、本明細書における教示を考慮すれば当業者には明らかであろう。
【００５２】
一旦、クランプパッド（５８）がクランプアーム（７４４）に固定されると、クランプアーム（７４４）は、次に、ピン（４５）をクランプアーム（７４４）の上の開口部（７４６）を通して設置することよって、シャフトアセンブリ（３０）の外側チューブ（３２）と連結され得る。クランプアーム（７４４）は、ピン（３５）と類似の、一体的な内側を向いているピンを含んで、クランプアーム（７４４）を内側チューブ（３４）に枢動可能に固定することができる。他の連結構成が、本明細書における教示を考慮すれば当業者には明らかであろう。
【００５３】
Ｇ．側壁スロットを有する例示的なクランプアーム
図２８及び３０は、別の例示的なクランプアーム（８４４）を示し、それは、この実施例のクランプアーム（８４４）が、クランプアーム（８４４）の内部に長手方向に延びている逆チャネル（８４２）を備えることを除いて、クランプアーム（４４）に類似している。チャネル（８４２）は、クランプパッド（８５８）の突起（８５６）を受け取るように構成されている。図２９に最もよく示すように、クランプパッド（８５８）は、クランプパッド（８５８）がレールの形状のクランプパッド（８５８）から外側に延びている複数の突起（８５６）を備えることを除いて、クランプパッド（５８）に類似している。図２８に示すように、突起（８５６）は、クランプアーム（８４４）のチャネル（８４２）の内部に挿入されるように構成されていることにより、クランプアーム（８４４）の内部にクランプパッド（８５８）を維持する。本実施例では、クランプパッド（８５８）は、クランプパッド（８５８）の突起（８５６）の間に、陥凹（８５４）を画定している。クランプアーム（８４４）のチャネル（８４２）が、クランプパッド（８５８）の陥凹（８５４）の内部に挿入される対応する突起を含むことにより、更にクランプパッド（８５８）をクランプアーム（８４４）と固定し得る。他の好適なチャネル（８４２）及び突起（８５６）構成が、本明細書における教示を考慮すれば当業者には明らかであろう。
【００５４】
一旦、クランプパッド（８５８）がクランプアーム（８４４）に固定されると、クランプアーム（８４４）は、次に、ピン（４５）をクランプアーム（８４４）の上の、開口部（４６）に類似の開口部を通して設置することによって、シャフトアセンブリ（３０）の外側チューブ（３２）と連結され得る。クランプアーム（８４４）は、ピン（３５）に類似の、一体的な内側を向いているピンを含んで、クランプアーム（８４４）を内側チューブ（３４）に枢動可能に固定することができる。他の連結構成が、本明細書における教示を考慮すれば当業者には明らかであろう。
【００５５】
Ｈ．例示的なクランプアームピン
図３１は、クランプアーム（９４４）を示し、それは、クランプアーム（９４４）が、保持ピン（９６０）を受け取るように構成されている横断方向の開口部（９４２）を画定することを除いて、クランプアーム（４４）に類似している。本実施例では、クランプアーム（９４４）は、クランプパッド（９５８）と連結される。クランプパッド（９５８）は、クランプパッド（９５８）がピン（９６０）を受け取るように構成されている陥凹（９５６）を画定することを除いて、クランプパッド（５８）に類似している。したがって、クランプパッド（９５８）がクランプアーム（９４４）と連結されていることにより、クランプアーム（９４４）の開口部（９４２）は、クランプパッド（９５８）の陥凹（９５６）と位置合わせされている。図３１に示すように、ピン（９６０）は、次に、開口部（９４２）を通して陥凹（９５６）の中に挿入され得る。ピン（９６０）は、開口部（９４２）との締り嵌めによって、クランプアーム（９４４）の開口部（９４２）の内部の適所に保持されるか、あるいは、ピン（９６０）は、適所に溶接され得るか、又はピン（９６０）は、任意の他の好適な方法でクランプアーム（９４４）に固定され得る。ピン（９６０）をクランプアーム（９４４）の開口部（９４２）の内部に固定する他の好適な方法が、本明細書における教示を考慮すれば当業者には明らかであろう。ピン（９６０）は、クランプパッド（９８５）をクランプアーム（９４４）から離れる方に押圧することによってクランプパッド（９５８）とインターフェースをとり得、それによって、ダブテールレール、Ｔ形レール、又は他の種類のレールをクランプアーム（９４４）の相補的なチャネルの内面に対して駆動して、クランプパッド（９８５）を摩擦によって適所にロックする。付加又は代替として、ピン（９６０）が、クランプパッド（９５８）の近位に明確な停止部を提供することにより、ピン（９６０）は、クランプパッド（９８５）がクランプアーム（９４４）に対して近位に滑動することを防ぎ得る。クランプアーム（９４４）の遠位の隆起（９５４）は、クランプパッド（９８５）がクランプアーム（９４４）に対して遠位に滑動することを防ぐことにより、クランプパッド（９８５）は、遠位の隆起（９５４）とピン（９６０）との間に長手方向に捕捉され得る。
【００５６】
本実施例において、陥凹（９５６）のみがピン（９６０）の底の遠位部分を係合する一方、陥凹（９５６）は、その代わりに、クランプパッド（９５８）の内部でピン（９６０）を完全に囲むための開口部として形成されてもよい。このことは、更に、クランプパッド（９５８）がクランプアーム（９４４）に対して遠位に動くことを防ぎ得る。ピン（９６０）とクランプパッド（９５８）との間の他の好適な関係が、本明細書における教示を考慮すれば当業者には明らかであろう。同様に、ピン（９６０）及びクランプパッド（９５８）についての他の好適な構成が、本明細書における教示を考慮すれば当業者には明らかであろう。
【００５７】
一旦、クランプパッド（９５８）がクランプアーム（９４４）に固定されると、クランプアーム（９４４）は、次に、ピン（４５）をクランプアーム（９４４）の上の開口部（９４６）を通して設置することよって、シャフトアセンブリ（３０）の外側チューブ（３２）と連結され得る。クランプアーム（９４４）は、ピン（３５）と類似の、一体的な内側を向いているピンを含むことにより、クランプアーム（９４４）を内側チューブ（３４）に枢動可能に固定することができる。他の連結構成が、本明細書における教示を考慮すれば当業者には明らかであろう。
【００５８】
ＩＩＩ．組織把持特徴部を有する例示的なクランプアーム
いくつかの例では、クランプパッド（５８）、クランプアーム（４４）、及び／又はクランプパッド（５８）とブレード（１００）との間に組織を把持することを容易にするブレード（１００）の上に把持特徴部を含むことが望ましい場合がある。そのような組織把持特徴部は、それによってクランプパッド（５８）とブレード（１００）との間の組織の封止及び／又は切断を改善し得る。付加又は代替として、そのような把持特徴部は、ブレード（１００）が超音波で起動させられている間、クランプパッド（５８）とブレード（１００）との間で組織の移動を防ぎ得る。クランプパッド（５８）に組み込むことができるいくつかの例示的な把持部については、以下でより詳細に論じられるが、いくつかの他の実施例が、本明細書の教示を考慮すれば、当業者には明らかとなるであろう。
【００５９】
Ａ．溝を有する例示的なクランプパッド
図３２は、例示的な代替のクランプパッド（１０５８）を示し、それは、この実施例のクランプパッド（１０５８）が、クランプパッド（１０５８）の外面を横切って延びている複数の溝（１０５６）を備えることを除いて、クランプパッド（５８）に類似している。溝（１０５６）は、クランプパッド（１０５８）が器具（１０）のクランプアーム（４４）の内部に組み付けられると、ブレード（１００）（及び／又は組織）に隣接して位置付けられ、それにより、溝（１０５６）は、クランプパッド（１０５８）とブレード（１００）との間に組織を把持することを助けるように作用し得る。本実施例では、溝（１０５６）は、クランプパッド（１０５８）の縦軸に垂直である経路に沿って、クランプパッド（１０５８）を横切って横方向に延びる。あるいは、溝（１０５６）は、様々な角度でクランプパッド（１０５８）を横切って延びてもよい。例えば、図３３は、クランプパッド（１１５８）を示し、それは、クランプパッド（１１５８）が、クランプパッド（１１５８）の外面を横切って斜めに延びる溝（１１５４、１１５６）を含むことを除いて、クランプパッド（１０５８）に類似している。特に、１組の平行な溝（１１５４）は、第１の斜角で位置付けられ、別の組の平行な溝（１１５６）は、第２の斜角で位置付けられ、それにより、溝（１１５６）は、溝（１１５４）と十字模様を形成する。したがって、溝（１１５４、１１５６）は、ブレード（１００）が超音波で起動されているとき、クランプパッド（１１５８）とブレード（１００）との間に位置付けられる組織に対してやすりとして作用し得る。
【００６０】
溝（１１５４、１１５６）は、２パス操作を用いて及び／又は任意の好適な技術を用いて、クランプパッド（１１５８）に機械加工され得る。溝（１０５６、１１５４、１１５６）についての他の好適な構成及び配列が、本明細書における教示を考慮すれば当業者には明らかであろう。溝（１０５６、１１５４、１１５６）は、隆起部によって置換され得ることも理解されたい。更に別の単なる例示的な代替として、溝（１０５６、１１５４、１１５６）は、隆起部（例えば、溝（１０５６、１１５４、１１５６）の１つ又は２つ以上の境界に沿って延びている隆起部など）と相補的であってもよい。
【００６１】
Ｂ．剛毛を有する例示的なクランプパッド
図３４〜３５は、例示的な代替のクランプパッド（１２５８）を示し、それは、この実施例のクランプパッド（１２５８）が、クランプパッド（１２５８）から外側に延びている剛毛（１２５６）を備えることを除いて、クランプパッド（５８）に類似している。剛毛（１２５６）は、クランプパッド（１２５８）が、器具（１０）のクランプアーム（４４）の内部に組み付けられると、ブレード（１００）（及び／又は組織）に隣接して位置付けられ、それにより、剛毛（１２５６）は、クランプパッド（１２５８）とブレード（１００）との間に組織を把持することを助けるように作用し得る。剛毛（１２５６）は、剛性又は柔軟な材料から形成され得る。図３５に最もよく示すように、剛毛（１２５６）は、クランプパッド（１２５８）から等しい高さまで延びる。あるいは、剛毛（１２５６）は、様々な高さでクランプパッド（１０５８）から延びてもよい。例えば、図３６はクランプパッド（１２５８）を示し、それは、クランプパッド（１３５８）がクランプパッド（１３５８）から様々な高さで延びる剛毛（１３５６）を含むことを除いて、クランプパッド（１３５８）に類似している。剛毛（１２５６、１３５６）が相互に横方向及び長手方向に位置合わせされているように示されているが、剛毛（１２５６、１３５６）はまた、クランプパッド（１２５８、１３５８）の上で横方向及び／又は長手方向に位置合わせされていなくてもよい。付加又は代替として、剛毛（１２５６、１３５６）は、クランプパッド（１２５８、１３５８）から斜角で延びていてもよい。剛毛（１２５６、１３５６）についての他の好適な構成及び配列は、本明細書における教示を考慮すれば当業者には明らかであろう。
【００６２】
Ｃ．歯を有する例示的なクランプパッド
上記のように、クランプパッド（５８）の遠位部分（５８Ａ）は、鋸歯状形状を有する歯を含み、その歯は、クランプパッド（５８）の縦軸に対して垂直である経路に沿って延びる。あるいは、クランプパッド（５８）上の歯は、クランプパッド（５８）による組織の把持を更に促進し得る様々な他の形状を有してもよい。例えば、図３７は、クランプパッド（１４５８）を示し、それは、クランプパッド（１４５８）の外面を横切って横方向に延びている複数の歯（１４５６）を備えることにより、歯（１４５６）の隆線がクランプパッド（１４５８）の縦軸に対して斜め方向に角度が付いている経路に沿って延びる。歯（１４５６）は、クランプパッド（１４５８）から外側に突き出て、ブレード（１００）及び組織に隣接して位置付けられて、クランプパッド（１４５８）とブレード（１００）との間に組織を把持する際に助けとなり得る。もちろん、歯（１４５６）は、他の形状を含み得る。例えば、図３８は、クランプパッド（１５５８）を示し、それは、クランプパッド（１５５８）が、近位方向を向く山形形状の複数の歯（１５５６）を備えることを除いて、クランプパッド（１４５８）に類似している。歯（１５５６）はまた、反対の方向を向いていてもよい。例えば、図３９は、クランプパッド（１６５８）を示し、それは、クランプパッド（１６５８）の歯（１６５６）が、遠位方向を向く山形形状を含むことを除いて、クランプパッド（１５５８）に類似している。あるいは、図４０は、クランプパッド（１７５８）を示し、それは、クランプパッド（１７５８）が近位方向を向く半円形形状の歯（１７５６）を含むことを除いて、クランプパッド（１５５８）に類似している。もちろん、歯（１７５６）はまた、反対の方向を向いていてもよい。例えば、図４１は、クランプパッド（１８５８）を示し、それは、クランプパッド（１８５８）の歯（１８５６）が遠位方向を向く半円形形状を含むことを除いて、クランプパッド（１７５８）に類似している。更に他の好適な歯の形状が、本明細書の教示を考慮すれば当業者には明らかであろう。
【００６３】
図４２〜４３は、二層の歯（１９５４、１９５６）を備えるクランプパッド（１９５８）を示す。本実施例では、クランプパッド（１９５８）は、クランプパッド（１９５８）の中心部分に沿って長手方向に延びる第１の列の歯（１９５６）を備えている。第２及び第３の列の歯（１９５４）は、第１の列の歯（１９５６）の両側に沿って横方向に位置付けられている。第２の列の歯（１９５４）は、第１の列の歯（１９５６）とは異なる高さまで延びる。図４３に最もよく示すように、歯（１９５４）は、歯（１９５６）の下方に位置付けられている。あるいは、もちろん、歯（１９５４）は、歯（１９５６）の上方に位置付けられてもよい。歯（１９５４、１９５６）は、それ故に、ブレード（１００）及び組織に隣接して位置付けられて、クランプパッド（１９５８）とブレード（１００）との間に組織を把持する際に助けとなり得る。いくつかの変形形態では、歯（１９５４）は、歯（１９５６）と異なる高さまで延びている歯（１９５４）に付加して又はそれの代替として、歯（１９５６）と異なるように構成されている。ほんの一例として、歯（１９５４）は、近位方向を向いている鋸歯形状を有してもよく、一方、歯（１９５６）は、遠位方向を向いている鋸歯形状を有してもよく、その逆も同様である。歯（１９５４、１９５６）のために用いられ得る他の好適な形状、及び歯（１９５４、１９５６）の間の他の好適な関係が、本明細書における教示を考慮すれば当業者には明らかであろう。
【００６４】
Ｄ．例示的なＵ形クランプアーム
いくつかの例では、クランプパッド（５８）のような特徴部を伴わずに組織把持能力を有するクランプアーム（４４）を提供することが望ましく場合がある。例えば、図４４〜４６は、エンドエフェクタ（２４０）がＵ形形状を有するクランプアーム（２０４４）を備えることを除いて、エンドエフェクタ（４０）に類似しているエンドエフェクタ（２４０）を示す。枢動アーム（２０４８）は、クランプアーム（２０４４）をシャフトアセンブリ（３０）に枢動可能に固定し、クランプアーム（２０４４）とは鋭角を画定する。図４４に最もよく示すように、クランプアーム（２０４４）は、ブレード（２０００）の側面及び遠位端部の周りを覆うように構成されている。クランプアーム（２０４４）は、クランプアーム（２０４４）が開放位置から閉鎖位置まで旋回するとき、ブレード（２０００）を通り越して移動するように更に構成されている。言い換えると、クランプアーム（２０４４）の遠位部分は、クランプアーム（２０４４）が開放位置から閉鎖位置まで旋回するとき、ブレード（２０００）の縦軸の１つの側からブレード（２０００）の縦軸の別の側まで、ブレード（２０００）の縦軸と交差する。
【００６５】
図４５Ａは、ブレード（２０００）に対する開放位置にあるクランプアーム（２０４４）を示す。開放位置において、組織は、クランプアーム（２０４４）とブレード（２０００）との間に位置付けられ得る。トリガ（２８）は、次に、クランプアーム（２０４４）を図４５Ｂに示される閉鎖位置まで旋回するように作動させられ得る。クランプアーム（２０４４）は、ピン（２０４６）の周りで旋回して、ブレード（２０００）の縦軸を横切って移動してブレード（２０００）を通り越す。これにより、図４６に示すように、クランプアーム（２０４４）とブレード（２０００）との間で組織（２）を捕捉することにより、ブレード（２０００）を覆う組織（２）を引っ張る。このことは、ブレード（２０００）がより少ない時間で組織（２）を封止及び／又は切断することを可能にする。付加又は代替として、クランプアーム（２０４４）は、ブレード（２００）の両側において組織に剪断作用を提供し得る。クランプアーム（２０４４）は、組織（２）の上側に圧力を加えずに、止血の向上を更に可能にし得る。クランプアーム（２０４４）についての他の好適な形状及び動作性は、本明細書における教示を考慮すれば当業者には明らかであろう。
【００６６】
Ｅ．例示的な曲がったクランプアーム
器具（１０）のいくつかの変形形態では、クランプアーム（４４）及びブレード（１００）は、両方とも、クランプアームが（４４）をそれに沿って旋回する平面に垂直であるそれぞれの平面に沿って曲がっている。いくつかの他の変形形態では、クランプアーム（４４）及び／又はブレード（１００）は、クランプアーム（４４）がそれに沿って旋回する平面に平行である１つの平面又は複数の平面に沿って曲がっている。例えば、図４７Ａ〜４７Ｂは、エンドエフェクタ（３４０）が、ブレード（２１００）と、クランプアーム（２１４４）の旋回運動と同調して１つの平面に沿って全てが垂直方向に曲がっているクランプパッド（２１５８）を有するクランプアーム（２１４４）とを備えることを除いて、エンドエフェクタ（４０）に類似しているエンドエフェクタ（３４０）を示す。図４８は、エンドエフェクタ（３４０）の平面図であり、クランプアーム（２１４４）の曲率は、クランプアーム（２１４４）及びブレード（２１００）の両方が、シャフトアセンブリ（３０）の縦軸と位置合わせされている平面に沿って長手方向に延びるように形成されていることを示す。図４７Ａ〜４７Ｂに戻って参照すると、エンドエフェクタ（３４０）のブレード（２１００）は、クランプアーム（２１４４）及びクランプパッド（２１５８）に一致するように曲がっている。ブレード（２１００）、クランプアーム（２１４４）、及びクランプパッド（２１５８）の曲がりは、クランプアーム（２１４４）がブレード（２１００）とクランプパッド（２１５８）との間に組織をより良好に把持することを可能にし得る。
【００６７】
図４７Ａは、ブレード（２１００）に対して開放位置にあるクランプアーム（２１４４）を示す。開放位置では、組織は、クランプパッド（２１５８）とブレード（２１００）との間に位置付けられ得る。トリガ（２８）は、次に、クランプアーム（２１４４）を図４７Ｂに示す閉鎖位置まで旋回するように作動させられ得る。クランプアーム（２１４４）は、ピン（２１４６）の周りで旋回して、ブレード（２１００）に向かって移動する。クランプアーム（２１４４）、クランプパッド（２１５８）、及びブレード（２１００）の一致する曲率は、クランプパッド（２１５８）とブレード（２１００）との間に組織を捕捉することによって、組織を封止及び／又は切断するように作用する。この実施例では、クランプアーム（２１４４）及びクランプパッド（２１５８）は、クランプパッド（２１５８）とブレード（２１００）との間の組織捕捉領域に対して凸状に曲がっており、一方、ブレード（２１００）は、クランプパッド（２１５８）とブレード（２１００）との間の組織捕捉領域に対して凹状に曲がっている。
【００６８】
エンドエフェクタ（３４０）の曲率は、エンドエフェクタ（４０）によって提供される視界と異なる種類の視界をユーザに提供し得る。クランプアーム（２１４４）の曲率は、エンドエフェクタ（４０）に対して異なる形式の組織切開を更に提供し得る。例えば、クランプアーム（２１４４）の上側部分は、組織に対して押圧され、近位に引かれ得る。クランプアーム（２１４４）の曲がりは、クランプアーム（２１４４）に対して組織を保持することによって、クランプアーム（２１４４）が近位に引かれるときに、組織を鈍的に切開し得る。もちろん、他の好適なクランプアーム（２１４４）形状が、本明細書の教示を考慮すれば当業者には明らかであろう。
【００６９】
図４９Ａ〜４９Ｂは、別の例示的なエンドエフェクタ（４４０）を示し、それは、クランプアーム（２２４４）、クランプパッド（２２５８）、及びブレード（２２００）が、エンドエフェクタ（３４０）に対する視界の代替の視界を提供するように凹状に曲がっていることを除いて、エンドエフェクタ（３４０）に類似している。特に、クランプアーム（２２４４）及びクランプパッド（２２５８）は、クランプパッド（２２５８）とブレード（２２００）との間の組織捕捉領域に対して凹状に曲がっており、一方、ブレード（２２００）は、クランプパッド（２２５８）とブレード（２２００）との間の組織捕捉領域に対して凸状に曲がっている。図４９Ａは、ブレード（２２００）に対して開放位置にあるクランプアーム（２２４４）を示す。開放位置では、組織は、クランプパッド（２２５８）とブレード（２２００）との間に位置付けられ得る。トリガ（２８）は、次に、クランプアーム（２２４４）を図４９Ｂに示す閉鎖位置まで旋回させるように作動させられ得る。クランプアーム（２２４４）は、ピン（２２４６）の周りで旋回して、ブレード（２２００）に向かって移動する。クランプアーム（２２４４）、クランプパッド（２２５８）、及びブレード（２２００）の一致する曲率は、クランプパッド（２２５８）とブレード（２２００）との間に組織を捕捉することによって、組織を封止及び／又は切断するように作用する。
【００７０】
Ｆ．例示的な柔軟クランプアーム
図５０Ａ〜図５０Ｂは、エンドエフェクタ（５４０）を示し、それは、ブレード（２３００）が、クランプパッド（２３５８）とブレード（２３００）との間の組織捕捉領域に対して凹状に曲がっているという点で、エンドエフェクタ（３４０）に類似している。この実施例では、しかし、クランプアーム（２３４４）及びクランプパッド（２３５８）は、真っ直ぐな形状を有し、柔軟な材料から形成されている。特に、クランプアーム（２３４４）及びクランプパッド（２３５８）は、開放構成のエンドエフェクタ（５４０）を描いている、図５０Ａに示すような真っ直ぐな形状を有するように弾力的に付勢される。この状態において、組織は、クランプアーム（２３４４）とブレード（２３００）との間に位置付けられ得る。トリガ（２８）は、次に、クランプアーム（２３４４）を図５０Ｂに示す閉鎖位置まで旋回させるように作動させられ得る。クランプアーム（２３４４）は、ピン（２３４６）の周りで旋回して、ブレード（２３００）に向かって移動する。クランプアーム（２３４４）が閉鎖位置まで旋回するとき、クランプアーム（２３４４）及びクランプパッド（２３５８）は、ブレード（２３００）の形状に一致するように曲がる。クランプアーム（２３４４）が閉鎖位置に向かって旋回されると、最初に、クランプパッド（２３５８）の遠位端部がブレード（又は組織）に、続いて、クランプパッド（２３８）の近位領域に接触し得る。
【００７１】
クランプアーム（２３４４）、クランプパッド（２３５８）、及びブレード（２３００）の一致した曲率は、クランプパッド（２３５８）とブレード（２３００）との間で組織をより良好に把持することによって、組織を封止及び／又は切断するように作用し得る。柔軟なクランプアーム（２３４４）を用いることによって、ブレード（２３００）の剛性は増加され得、クランプパッド（２３５８）とブレード（２３００）との間の圧力プロフィールは、それによってより良好に組織を把握、封止及び／又は切断するように最適化され得る。柔軟なクランプアーム（２３４４）は、エンドエフェクタ（５４０）の部品間の製造変動を更に補償し得る。本実施例は、ブレード（２３００）の形状に順応するように凸状に曲がるクランプアーム（２３４４）を示しているが、クランプアーム（２３４４）のための他の好適な柔軟な形状が、本明細書における教示を考慮すれば当業者には明らかであろう。
【００７２】
図５１Ａ〜５１Ｂは、ブレード（２４００）に対して直線化された形状まで曲がる例示的な代替のクランプアーム（２４４４）を示す。この実施例のクランプアーム（２４４４）及びクランプパッド（２４５８）は、クランプアーム（２４４４）が開放位置（図５１Ａ）にあるときに、クランプアーム（２４４４）及びクランプパッド（２４５８）が、クランプパッド（２４５８）とブレード（２４００）との間の組織捕捉領域に対して凹状に曲げられることを除いて、クランプアーム（２３４４）及びクランプパッド（２３５８）に類似している。クランプアーム（２４４４）及びクランプパッド（２４５８）は、この曲がった形状を呈するように弾力的に付勢され得る。ブレード（２４００）は、ブレード（２４００）がシャフトアセンブリ（３０）の縦軸に平行である軸に沿って延びるように、ブレード（２４００）が真っ直ぐな形状を有することを除いて、ブレード（２３００）に類似している。
【００７３】
図５１Ａに示すように、組織は、この開放位置にあるクランプアーム（２４４４）とブレード（２４００）との間に位置付けられ得る。トリガ（２８）は、次に、クランプアーム（２４４４）を図５１Ｂに示す閉鎖位置まで旋回させるように作動させられ得る。クランプアーム（２４４４）は、ピン（２４４６）の周りで旋回して、ブレード（２４００）に向かって移動する。クランプアーム（２４４４）が閉鎖位置まで旋回するとき、クランプアーム（２４４４）及びクランプパッド（２４５８）は、ブレード（２４００）の真っ直ぐな形状に一致するように曲がる。クランプアーム（２４４４）、クランプパッド（２４５８）、及びブレード（２４００）の一致する形状は、クランプパッド（２４５８）とブレード（２４００）との間で組織をより良好に把持することによって、組織を封止及び／又は切断するように作用し得る。
【００７４】
柔軟であるために、クランプアーム（２４４４）の脊椎状部（２４４８）は、ブレード（２４００）と共に曲がる柔軟な材料から形成され得、一方、クランプアーム（２４４４）の遠位部分は、脊椎状部（２４４８）よりも剛性であり得る。脊椎状部（２４４８）は、クランプアーム（２４４４）が、ブレード（２４００）とのクランプアーム（２４４４）の遠位部分及び近位部分の両方の間で平坦になり閉鎖を提供することを可能にし得る。もちろん、他の好適な柔軟な形状が、当業者には明らかであろう。例えば、図５２は、クランプアーム（２５４４）がオーバーモールドされたクランプパッド（２５５８）を備えることを除いて、クランプアーム（２４４４）に類似しているクランプアーム（２５４４）を示す。クランプパッド（２５５８）がクランプアーム（２５４４）と共に曲がることを可能にするために、クランプパッド（２５５８）は、オーバーモールド部分に陥凹（２５５６）を画定する。４つの陥凹（２５５６）が図５２に示されているが、任意の他の好適な数の陥凹（２５５６）が、オーバーモールドされたクランプパッド（２５５８）の十分な曲がりを可能にするために用いられてもよい。したがって、陥凹（２５５６）は、クランプアーム（２５４４）がブレード（２４００）に対する閉鎖位置まで曲がることにより、クランプパッド（２５５８）がクランプアーム（２５４４）と共に曲がることを可能にするとき、より広い形状まで曲がり得る。
【００７５】
図５３は、柔軟な発泡体部分（２６４２）を備えている例示的なクランプアーム（２６４４）を示す。クランプアーム（２６４４）は、クランプアーム（２６４４）が陥凹（２６４７）及びブロック部材（２６４８）を含むことを除いて、クランプアーム（２４４４）に類似している。発泡体部分（２６４２）は、クランプアーム（２６４４）の陥凹（２６４７）の内部に位置付けられている。ブロック部材（２６４８）は、クランプパッド（２６５８）と発泡体部分（２６４２）との間に介在している。発泡体部分（２６４２）は、拡張形状を呈するように弾力的に付勢されることにより、発泡体部分（２６４２）は、クランプパッド（２６５８）をクランプアーム（２４４４）から遠ざける。組織がクランプパッド（２６５８）と超音波ブレード（１００）との間で圧縮されていないとき、隙間（２６４５）が、発泡体部分（２６４２）によって強制された弾力的な付勢に起因して、クランプアーム（２４４４）とクランプパッド（２６５８）との間に画定される。しかし、組織がクランプパッド（２６５８）と超音波ブレード（１００）との間で圧縮されるとき、発泡体部分（２６４８）はまた、圧縮して隙間（２６４５）の大きさを減少させるか、又は更には隙間（２６４５）を除去する。いくつかの例では、クランプパッド（２６５８）と超音波ブレード（１００）との間の組織は、クランプパッド（２６５８）及び超音波ブレード（１００）の全体長に沿って延びていない。発泡体部分（２６４２）の柔軟性は、クランプパッド（２６５８）と超音波ブレード（１００）との間の界面の長さに沿った不均一な厚さに順応し得、クランプパッド（２６５８）と超音波ブレード（１００）との間に介在される組織の長さに沿って圧縮力の実質的に均一な分布を更に提供し得る。
【００７６】
図５４は、板ばね（２７４２）を備えている例示的なクランプアーム（２７４４）を示す。クランプアーム（２７４４）は、クランプアーム（２７４４）が発泡体部分（２６４２）の代わりに板ばね（２７４２）を含むことを除いて、クランプアーム（２６４４）に類似している。板ばね（２７４２）は、クランプアーム（２７４４）の陥凹（２７４７）の内部に位置付けられている。ブロック部材（２７４８）は、クランプパッド（２７５８）と板ばね（２７４２）との間に介在している。板ばね（２７４２）は、クランプパッド（２７５８）をクランプアーム（２４４４）から遠ざけるために弾力的に付勢される。組織がクランプパッド（２７５８）と超音波ブレード（１００）との間で圧縮されていないとき、隙間（２７４５）が、板ばね（２７４２）によって強制された弾力的な付勢に起因して、クランプアーム（２４４４）とクランプパッド（２７５８）との間に画定される。しかし、組織がクランプパッド（２７５８）と超音ブレード（１００）との間で圧縮されると、板ばね（２７４８）が変形して、隙間（２７４５）の大きさを減少させるか、又は更には隙間（２７４５）を除去する。場合によっては、クランプパッド（２７５８）と超音波ブレード（１００）との間の組織は、クランプパッド（２７５８）及び超音波ブレード（１００）の全体長に沿って延びていない。板ばね（２７４２）の柔軟性は、クランプパッド（２７５８）と超音波ブレード（１００）との間の界面の長さに沿った不均一な厚さに順応し得、クランプパッド（２７５８）と超音波ブレード（１００）との間に介在する組織の長さに沿って圧縮力の実質的に均一な分布を更に提供し得る。
【００７７】
ＩＶ．鈍い切開特徴部を有する例示的なクランプアーム
上記の実施例は、主として、クランプパッド（５８）と超音波ブレード（１００）との間で組織を圧縮するという文脈において述べられている。しかしながら、いくつかの例では、必ずしもクランプパッド（５８）と超音波ブレード（１００）との間に組織を捕捉して組織を切断／封止することなく、組織の鈍い切開を実行するために器具（１０）を用いることが、望ましい場合がある。例えば、エンドエフェクタ（４０）は、クランプアーム（４４）が閉鎖位置にある間、組織の２つの層の間に挿入され得、次に、クランプアーム（４４）は、組織の層を分離するために開放位置まで駆動され得る。あるいは、静止状態のブレード（１００）を用いて、１つの組織構造を別の組織構造から離れるように駆動するために、クランプアーム（４４）の外面は、組織に対して押圧され得るか、及び／又は組織に対して引っ張られ得る。したがって、エンドエフェクタ（４０）は、鈍い切開又は組織切開の付加的な方法を容易にするように構成されている１つ又は２つ以上の特徴部を備え得る。以下は、エンドエフェクタ（４０）に容易に組み込まれ得る鈍い切開特徴部の単なる例示的な実施例である。他の好適な鈍い切開特徴部が、本明細書における教示を考慮すれば当業者には明らかであろう。
【００７８】
図５５Ａ〜５６は、本実施例のクランプアーム（２８４４）が組織を鈍的に切開するために用いられ得る旋回切開アーム（２８４２）を備えることを除いて、クランプアーム（４４）に類似しているクランプアーム（２８４４）を示す。クランプアーム（２８４４）は、限定ではなく、本明細書において述べられる様々なクランプパッドのうちの任意のものを含むクランプパッドを有し得ることを理解されたい。図５６に最もよく示すように、アーム（２８４２）は、クランプアーム（２８４４）から横方向に延びているバー（２８４２）を有するＴ形形状を有する。アーム（２８４２）は、クランプアーム（２８４４）の遠位部分の上に位置付けられており、ピン（２８４３）を介してクランプアーム（２８４４）に対して旋回可能である。
【００７９】
アーム（２８４２）は、図５５Ａに示すように、クランプアーム（２８４４）が手術部位に導入されている間、及び、エンドエフェクタ（４０）がクランプアーム（２８４４）とブレード（１００）との間にクランプされた組織を封止及び／又は切断するために使用されているとき、収容位置のクランプアーム（２８４４）に押し当てた状態で位置付けられ得る。本実施例は、収容位置においてクランプアーム（２８４４）と実質的に同一平面にあるアーム（２８４２）を示す。あるいは、アーム（２８４２）は、クランプアーム（２８４４）より上に位置付けられ得る。鈍い組織切開が望まれるとき、アーム（２８４２）は、図５５Ｂに示すように、クランプアーム（２８４４）から離れる方に持ち上げられて旋回され得る。本実施例では、図５６に示すように、アーム（２８４２）のバー（２８４１）は、クランプアーム（２８４４）を越えて延びることにより、ユーザがアーム（２８４２）を持ち上げるためにバー（２８４１）を（例えば、別の器具を使用して）把持することを可能にする。別の単なる例示的な実施例として、バー（２８４１）の自由端は、アーム（２８４２）を展開位置まで旋回させるために、組織に対して引っ張られ得る。クランプアーム（２８４４）に対してアーム（２８４２）を持ち上げる他の好適な方法が、本明細書における教示を考慮すれば当業者には明らかであろう。
【００８０】
起された位置のアーム（２８４２）によって、組織（２）は、図５７に示すように、アーム（２８４２）の近位側付近に位置付けられ得る。クランプアーム（２８４４）は、次に、アーム（２８４２）を用いて組織（２）を切開するために近位に引かれ得る。アーム（２８４２）のＴ形形状は、切開の間、組織（２）をアーム（２８４２）に押し当てた状態で保持する。もちろん、アーム（２８４２）は、組織（２）をアーム（２８４２）の上に保持するための他の好適な形状を含み得る。例えば、図５８〜５９は、曲がったフック状の形状を有するアーム（２９４２）を有するクランプアーム（２９４４）を示す。アーム（２９４２）は、アーム（２９４２）がクランプアーム（２９４４）に沿って近位及び横方向に曲がることを除いて、アーム（２８４２）に類似している。図５８に最もよく示すように、アーム（２９４２）がクランプアーム（２９４４）の側面を過ぎて延びることにより、ユーザがアーム（２９４２）を把持して、クランプアーム（２９４４）に対してアーム（２９４２）を旋回させることを可能にする。起された又は展開された位置において、図５９で示すように、アーム（２９４２）は、組織を鈍的に切開するために、アーム（２９４２）の周りに組織を引っかけるために用いられ得る。アーム（２８４２、２９４２）のために使用され、提供され得る他の好適な形状及び動作性が、本明細書における教示を考慮すれば当業者には明らかであろう。
【００８１】
いくつかの例では、アーム（２８４２、２９４２）を起すことなく、組織を鈍的に切開することが望ましい場合がある。図６０は、鈍的に組織を切開するために用いられ得る例示的な代替のクランプアーム（３０４４）を示す。クランプアーム（３０４４）は、クランプアーム（３０４４）がアーム（２８４２）の代わりに、クランプアーム（３０４４）の遠位部分にある一体的な突起（３０４８）を備えることを除いて、クランプアーム（２８４４）に類似している。突起（３０４８）は、クランプアーム（３０４４）から外側に延びて、近位面（３０４２）を含む。したがって、突起（３０４８）が組織に対して押圧され、近位に引かれることにより、近位面（３０４２）は、組織の鈍い切開を実行するように作用し得る。クランプアーム（３０４４）が、組織の層を相互から分離することによって展開切開を提供するために用いられる設定において、突起（３０４８）は、組織の層のうちの１つを把持することを支援することにより、組織の層がクランプアーム（３０４４）の遠位端から滑り落ちることを防ぎ得る。
【００８２】
図６１に示す別の例示的な変形例では、クランプアーム（３０４４）に類似しているクランプアーム（３１４４）は、クランプアーム（３１４４）の遠位部分に陥凹（３１４８）を画定する。陥凹（３１４８）は、遠位面（３１４３）及び近位面（３１４２）を含む。本実施例では、遠位面（３１４３）は、クランプアーム（３１４４）の中で垂直方向に位置合わせされ、近位面（３１４２）は遠心面（３１４３）まで遠位に傾く。もちろん、陥凹（３１４８）についての他の好適な形状が、本明細書における教示を考慮すれば当業者には明らかであろう。本実施例では、クランプアーム（３１４４）の遠位部分が組織に対して押圧され、近位に引かれることにより、組織は、近位面（３１４２）と反対方向に遠位面（３１４３）まで滑り得る。遠位面（３１４３）は、次に、組織の鈍い切開を実行するために組織と係合し得る。クランプアーム（３１４４）が組織の層を相互から分離することによって展開切開を提供するように用いられる設定において、陥凹（３１４８）は、組織の層のうちの１つを把持することを支援することにより、組織の層がクランプアーム（３１４４）の遠位端部から滑り落ちることを防ぎ得る。組織を鈍的に切開するための他の好適なクランプアーム（３０４４、３１４４）特徴部が、本明細書における教示を考慮すれば当業者には明らかであろう。
【００８３】
Ｖ．多孔性コーティングを有する例示的なクランプアーム
いくつかの例では、多孔質コーティングを用いてクランプアーム（４４）をコーティングすることが望ましい場合がある。そのような多孔質コーティングの例は、１９８５年７月２日に発行の「Ｐｒｏｃｅｓｓ  ｆｏｒ  Ｔｈｅｒｍａｌｌｙ  Ｓｐｒａｙｉｎｇ  Ｐｏｒｏｕｓ  Ｍｅｔａｌ  Ｃｏａｔｉｎｇｓ  оｎ  Ｓｕｂｓｔｒａｔｅｓ」という名称の米国特許第４，５２６，８３９号に開示されており、その開示内容は参照することによって本明細書に援用される。図６２Ａ〜６２Ｂは、クランプアーム（３２４４）を示し、それは、クランプアーム（３２４４）が、クランプアーム（３２４４）の遠位部分に適用されたコーティング（３２４８）を備えることを除いて、クランプアーム（４４）に類似している。コーティング（３２４８）は、多孔質材料、例えば、金属、セラミックなどであり得る。セラミック材料がコーティング（３２４８）に用いられる場合、コーティング（３２４８）は、図６２Ａに示すように、空気がコーティング（３２４８）の細孔の中に存在することを可能にすることによって、絶縁層として作用して、クランプアーム（３２４４）の熱管理を助けるように作用し得る。言い換えると、コーティング（３２４８）は、クランプアーム（３２４４）の断熱を提供し得る。
【００８４】
クランプアーム（３２４４）が患者の体内で用いられると、図６２Ｂに示すように、体液は、コーティング（３２４８）に浸透してコーティング（３２４８）の細孔の中に移動し得る。このことは、液体がクランプアーム（３２４４）から蒸発するときに、クランプアーム（３２４４）の外側を過熱から防ぎ得る更なる冷却効果を提供し得る。例えば、コーティング（３２４８）は、液体がクランプアーム（３２４４）から蒸発するまで、クランプアーム（３２４４）の外側が１００℃を上回ることを防ぎ得る。血液を含み得るこれらの体液は、コーティング（３２４８）と異なる外観を有し得るので、液体がコーティング（３２４８）によって吸収されると、液体は、コーティング（３２４８）の色及び／又は外観を変更し得る。このことは、図６２Ｂに示すように、クランプアーム（３２４４）が用いられたことの視覚表示を提供し得る。コーティング（３２４８）の細孔寸法は、コーティング（３２４８）からこれらの液体を除去することの容易さに影響を及ぼす可能性があることを理解されたい。好適な細孔寸法は、ユーザによって選択されてもよい。
【００８５】
本実施例のコーティング（３２４８）は、クランプアーム（３２４４）の周りの周辺に適用されている。あるいは、コーティング（３２４８）は、例えばクランプアーム（３２４８）の上面のようなクランプアーム（３２４８）の選択領域、又は器具（１０）の他の範囲に適用されてもよい。クランプアーム（３２４４）の下面は、クランプパッド（５８）に類似のクランプパッドを含み得ることも理解されたい。コーティング（３２４８）は、そのようなクランプパッドにはなくてもよく、それにより、クランプパッドの組織接触面は、クランプアーム（３２４４）に対して、及びコーティング（３２４８）に対して露出している。コーティング（３２４８）のための他の好適な形状は、本明細書における教示を考慮すれば当業者には明らかであろう。
【００８６】
コーティング（３２４８）が超音波器具（１０）のクランプアーム（３２４４）に対して述べられてきたが、コーティング（３２４８）はまた、他の器具に組み込まれ得ることに留意されたい。例えば、コーティング（３２４８）は、ＲＦ電気外科用装置のエンドエフェクタ、外科用ステープル留め装置、及び／又は他の好適な手術器具に付加され得る。単に実施例として、手術器具（１０）は、以下の特許文献の教示の少なくともいくつかに従って作製される電気外科器具を備えることができる：米国特許第６，５００，１７６号、同第７，１１２，２０１号、同第７，１２５，４０９号、同第７，１６９，１４６号、同第７，１８６，２５３号、同第７，１８９，２３３号、同第７，２２０，９５１号、同第７，３０９，８４９号、同第７，３１１，７０９号、同第７，３５４，４４０号、同第７，３８１，２０９号、米国特許公開第２０１１／００８７２１８号、同第２０１２／０１１６３７９号、同第２０１２／００７８２４３号、同第２０１２／００７８２４７号、米国特許出願第１３／６２２，７２９号、同第１３／６２２，７３５号、及び／又は同第１３／６５８，７８４号。前述の参考文献のそれぞれの開示内容は、参照することにより本明細書に組み込まれる。あるいは、手術器具（１０）は、以下の特許文献の教示の少なくともいくつかに従って構築される外科用ステープル留め及び切断器具を備えることができる：米国特許第７，４１６，１０１号、米国特許公開第２００９／０２０９９９０号、同第２０１２／０２３９０１２号、及び／又は米国特許出願第１３／７１６，３０８。前述の参考文献のそれぞれの開示内容は、参照することにより本明細書に組み込まれる。
【００８７】
ＶＩ．成形可能なパッド材料を有する例示的なクランプアーム
図２Ｂ及び図６５に戻って参照すると、クランプパッド（５８）は、ポリベンゾイミダゾール（ＰＢＩ）とポリエーテルケトンケトン（ＰＥＫＫ）とのブレンドから作製されてもよい。ＰＢＩは、ＰＢＩ  Ｐｅｒｆｏｒｍａｎｃｅ  Ｐｒｏｄｕｃｔｓ，Ｉｎｃ．（Ｃｈａｒｌｏｔｔｅ，ＮＣ）からＣｅｌａｚｏｌｅ（登録商標）として市販されている。ＰＥＫＫは、ＲＴＰ  Ｃｏ．，（Ｗｉｎｏｎａ，ＭＮ）からＲＴＰ  ４１００シリーズＰＥＫＫとして市販されている。米国特許第７，９１５，３５１号は、様々なＰＢＩ／ＰＥＫＫブレンドを作り出すプロセスについて記載しており、参照により本明細書に組み込まれる。ＰＢＩ／ＰＥＫＫ配合物は、Ｐｏｌｙｍｉｃｓ  Ｌｔｄ．（Ｓｔａｔｅ  Ｃｏｌｌｅｇｅ，ＰＡ）からも入手可能である。ＰＢＩ／ＰＥＫＫ材料の異なるブレンドのガラス転移温度Ｔｇ（したがって融点）は、ブレンドに使用されるＰＢＩ材料とＰＥＫＫ材料の相対的割合に基づいて変化することが知られている。材料のＴｇが高いほど、クランプパッド（５８）の標準使用温度により良好に耐えることができる。標準使用温度に耐えるこの能力は、該材料を貫く超音波ブレード（１００）による切断に、クランプパッド（５８）が破損する前に耐えることができる回数によって示される。本出願人らは、ＰＢＩを３０％含む市販のＰＢＩ／ＰＥＫＫブレンドは、クランプパッド（５８）としての使用を可能にするのに十分な高さのＴｇを有さず、ブレンド中のＰＢＩの割合を増加させる必要があると判断した。本出願人らは、３０％を超える割合のＰＢＩを配合した、射出成形可能なＰＢＩ／ＰＥＫＫブレンドを首尾良く有することができた。図６３は、本出願人らが配合することが可能であった異なるＰＢＩ／ＰＥＫＫブレンドで構成されたクランプパッドを破損させる切断回数のグラフを示す。横軸（２１００）は、ＰＢＩ／ＰＥＫＫブレンド中のＰＢＩの割合を表す。４５％のＰＥＫＫと混合された少なくとも５５％のＰＢＩを有するポリマーブレンドは、これらの用途で使用するのに許容可能であったＴｇを示すことが、実験により見出された。ある場合には、６０％のＰＢＩ及び４０％のＰＥＫＫを有するブレンドを使用し、優れた耐用期間を提供することが見出された。また、本発明者は、０．６ｄＬ／ｇ超、好ましくは０．７ｄＬ／ｇ超の固有粘度を示す材料は、射出成形されることができる材料に押出して、ペレット化できることを見出した。固有粘度は、相対粘度の自然対数対ポリマーの質量濃度の比であり、分子サイズを測定するための粘度測定法である。加えて、押出してその最終形態に許容可能な特性を提供することができる材料を作製するのに好ましいブレンドの溶融粘度の範囲は、１２００パスカル秒超である。また、ペレット化するために用いられる材料のレオロジーの変更は、二硫化モリブデン、ポリテトラフルオロエチレン（ＰＴＦＥ）、グラファイト、窒化ホウ素、炭素、又は当該技術分野で既知の他のレオロジー変性添加剤などの添加剤を使用して達成され得る。列記したレオロジー変性添加剤を使用することの１つの利点は、以下により詳細に記載するように、レオロジー変性添加剤が、ペレットから成形された材料の潤滑性も高めることである。本明細書の実施形態は、クランプパッド（５８）に係合して、オーバーモールド後にクランプパッド（５８）がクランプアーム（４４）に対して動くのを防止するためのアンダーカット又は他の好適な特徴部を有するクランプアーム（４４）を示している。本出願人らは、本明細書に記載されるＰＢＩ／ＰＥＫＫブレンド材料を使用すると、クランプパッド（５８）がクランプアーム（４４）に直接付着することを、実験を通じて予想外に見出した。したがって、図示される設計はパッド保持特徴部を省略することができ、下にあるクランプアーム（４４）の強度が更に改善されると企図される。加えて、本明細書では、記載の材料ブレンドを金属製のクランプアーム（４４）の上にオーバーモールドすることについて開示しているが、更に、記載のブレンドの本来の剛性により、クランプアーム（４４）及びクランプパッド（５８）全体を１つの一体型部品として成形することも可能であると企図される。
【００８８】
通常使用中に、クランプパッド（５８）とブレード（１００）との間に捕捉された組織は、これら構成要素の間の摩擦係数を低く維持する。しかしながら、組織がこの界面の一部において離断されると、クランプパッド（５８）とブレード（１００）とが接触する。従来、クランプパッド（５８）におけるポリテトラフルオロエチレン（ＰＴＦＥ）の使用は、これらの構成要素間の摩擦係数を有意に高めることなく、この接触を可能にした。しかしながら、これらの用途で用いられるＰＴＦＥブレンドは、射出成形可能ではなかった。上記のＰＢＩ／ＰＥＫＫブレンドの摩擦係数は、この誤用モードにおいて最適な低さよりも低い摩擦係数を提供することが知られている。摩擦係数が上昇すると、使用中に発生する熱も上昇する。これは、言い換えると、必要以上の発熱に対応するために、クランプパッド（５８）のＴｇがより高い必要があることを意味する。窒化ホウ素／グラファイト／炭素混合物などの潤滑剤をＰＢＩ／ＰＥＫＫブレンドに加えると、ＰＢＩ／ＰＥＫＫブレンドの摩擦係数が十分に低下し、したがって装置の動作温度が十分に低下するので、操作の通常モード及び誤用モードの両方において、潤滑剤を加えたＰＢＩ／ＰＥＫＫブレンド材料をクランプパッド（５８）で使用することが可能であることが、実験により見出された。２０％〜４０％の潤滑性混合物を、１５％〜４０％のＰＢＩ及び４０％〜５０％のＰＥＫＫと合わせると、潤滑剤を有しないＰＢＩ／ＰＥＫＫブレンドに比べて摩擦係数が大幅に低下することが見出された。一実施形態では、２８重量％のＰＢＩ、４４．５重量％のＰＥＫＫ、及び２７．５％重量％の潤滑性混合物（潤滑性混合物は、１３重量％の窒化ホウ素、４０重量％のグラファイト、及び４７重量％の炭素から構成された）のブレンドは、低摩擦係数特性及び高Ｔｇ特性を提供するので、材料が、通常状態及び誤用状態の両方において、クランプパッド（５８）で使用するのに適していることが、実験により見出された。総じて、この組み合わせは、２８重量％のＰＢＩ、４４．５重量％のＰＥＫＫ、３．５重量％の窒化ホウ素、１１重量％のグラファイト、及び１３重量％の炭素から構成された。これらのブレンドは、クランプパッド（５８）をクランプアーム（４４）上に射出成形することによって、又は材料をクランプパッド（５８）の形態に機械加工することによって、加工されてもよい。加えて、クランプパッド（５８）は、図２Ｂに示すように、クランプアーム（４４）内の１つの一体型部品であってもよく、又は、図３Ａに示すように、２部品からなるアセンブリ（５８Ａ及び５８Ｂ）の一部であってもよい。代替実施形態では、ＰＢＩ材料は、図６５に示す非溶融ポリマーのいずれかで置き換えることができ、ＰＥＫＫ材料は、図６５に示す高性能又は超高性能溶融性担体ポリマーのいずれかで置き換えることができ、潤滑性混合物は、図６５に示す潤滑剤／レオロジー変性物質の１つ又は２つ以上で置き換えることができる。より一般的な意味では、材料は、３つの構成成分のブレンドを含むことができる。第１の構成成分は、ＰＢＩ又は図６５に示す非溶融ポリマーのいずれかのような非溶融ポリマーである。第２の構成成分は、ポリエーテルケトンケトン、又は図６５に示す超高性能若しくは高性能溶融性担体ポリマーのいずれかのような溶融性担体ポリマーである。第３の構成成分は、図６５に示す潤滑剤／レオロジー変性物質のいずれかなどの、１種又は２種以上の潤滑剤／レオロジー変性物質を含む充填剤である。場合によっては、上述したように、第３の充填剤構成成分は、最終材料ブレンドから除外されてもよい。
【００８９】
ＶＩＩ．例示的な成形可能な装置及び構成要素
ＰＢＩ／ＰＥＫＫブレンドは、クランプパッド（５８）に用いられる材料として示されてきたが、材料は射出成形可能な特性を有するので、医療用装置及び医療用インプラントの様々な構成要素を製造するのにも有用である。図４を参照すると、外側チューブ（３２）、リンク（２９）、又はトリガ（２８）などであるがこれらに限定されない、装置の様々な構成要素は、ＰＢＩ／ＰＥＫＫブレンドから射出成形されることができる。ここで図６４を参照すると、埋め込み可能な脊椎ケージ（４０００）が示されている。脊椎ケージ（４０００）は、脊椎固定術の間に椎間腔内に設置されて、天然の脊椎円板物質が除去された区域に支持を提供する。脊椎ケージ（４０００）は、前述の様々な射出成形可能な材料ブレンドで構成され得る。この場合、脊椎ケージ（４０００）は、射出成形されてもよく、又はブレンド材料の塊から機械加工されてもよい。加えて、成形可能な材料を使用して、３Ｄ印刷などの積層造形プロセスによって脊椎ケージ（４０００）を形成してもよい。３Ｄプリンタ及びプリントヘッドは、参照によりその全体が本明細書に組み込まれる米国特許第８，８２７，６８４号に記載されている。示される３Ｄ印刷プロセスでは、成形可能なブレンドのフィラメントがフィラメント化され、次にこのフィラメントをその溶融温度まで加熱し、基材の上に堆積させて、脊椎ケージ（４０００）などの３次元物体を形成する。示されるプロセスは、成形可能なブレンド材料をフィラメントとして使用しているが、材料は、パレット化され、加熱された容器に入れられ、その溶融温度まで昇温され、ノズルを通して押し出されて、脊椎ケージ（４０００）の形態に堆積させてもよい。当該技術分野において既知である他の様々な３次元印刷プロセスも企図される。
【００９０】
ＶＩＩ．その他
明細書に記載される器具のいずれの変形形態も、本明細書で上述されるものに加えて、又はそれらの代わりに、種々の他の特徴を含んでもよいことを理解されたい。あくまで一例として、本明細書で説明する器具のどれもが、本明細書において、参照することにより組み込まれる種々の参考文献のいずれかで開示される種々の特徴の１つ又は２つ以上を含むこともできる。本明細書の教示は、本明細書の引用文献のいずれかの教示と多数の方法で容易に組み合わせ得るため、本明細書の教示は、本明細書の他の引用文献のいずれかに記載される器具のいずれにも容易に適用され得ることが理解されよう。本明細書の教示が組み込まれ得る他の種類の器具が、当業者には明らかであろう。
【００９１】
本明細書に参照により組み込まれると言及されたいかなる特許、刊行物、又は他の開示内容も、全体的に又は部分的に、組み込まれた内容が現行の定義、見解、又は本開示に記載された他の開示内容とあくまで矛盾しない範囲でのみ本明細書に組み込まれることを認識されたい。それ自体、また必要な範囲で、本明細書に明瞭に記載される開示内容は、参照により本明細書に組み込まれるあらゆる矛盾する記載に優先するものとする。参照により本明細書に組み込まれるものとするが、既存の定義、記載、又は本明細書に記載される他の開示文献と矛盾する任意の文献、又はそれらの部分は、援用文献と既存の開示内容との間に矛盾が生じない範囲においてのみ組み込まれるものとする。
【００９２】
上述の装置の変形形態は、医療専門家によって行われる従来の治療及び処置での用途だけでなく、ロボット支援された治療及び処置での用途も有することができる。あくまでも一例として、本明細書の様々な教示は、ロボット外科システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムに容易に組み込まれ得る。同様に、当業者には明らかとなることであるが、本明細書の種々の教示は、その開示が、本明細書において、参照することにより組み込まれる２００４年８月３１日公開の「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」という名称の米国特許第６，７８３，５２４号の種々の教示と容易に組み合わされ得る。
【００９３】
上述の変形形態は、１回の使用後に廃棄されるように設計されてもよく、あるいは、それらは、複数回使用されるように設計されてもよい。いずれか又は両方の場合において、変形形態は、少なくとも１回の使用後に再利用のために再調整され得る。再調整は、装置の分解工程、それに続く特定の部品の洗浄又は交換工程、及びその後の再組み立て工程の任意の組み合わせを含み得る。特に、装置のいくつかの変形形態は分解することができ、また、装置の任意の数の特定の部材又は部品を、任意の組み合わせで選択的に交換するか又は取り外してもよい。特定の部品の洗浄及び／又は交換に際して、装置の特定の変形形態を、再調整用の施設において、又は手術の直前に使用者により再組み立てして、その後の使用に供することができる。当業者であれば、装置の再調整において、分解、洗浄／交換、及び再組み立てのための様々な技術を使用できる点は認識するであろう。かかる技術の使用、及び結果として得られる再調整された装置は、全て本発明の範囲内にある。
【００９４】
あくまで一例として、本明細書に記載される変形形態は、手術の前及び／又は後で滅菌されてもよい。１つの滅菌法では、装置をプラスチック製又はＴＹＶＥＫ製のバックなどの閉鎖及び密封された容器に入れる。次いで、容器及び装置を、γ線、Ｘ線、又は高エネルギー電子線などの、容器を透過し得る放射線場に置くことができる。放射線は、装置の表面及び容器内の細菌を死滅させることができる。この後、滅菌された装置を、後の使用のために、滅菌容器中で保管することができる。装置はまた、β線若しくはγ線、エチレンオキシド、又は水蒸気が挙げられるが、これらに限定されない、当該技術分野で既知の任意の他の技術を用いて滅菌され得る。
【００９５】
以上、本発明の様々な実施形態を図示及び説明したが、本発明の範囲から逸脱することなく、当業者による適切な改変により、本明細書に記載される方法及びシステムの更なる適合化を実現することができる。そのような可能な改変のうちのいくつかについて述べたが、他の改変も当業者には明らかであろう。例えば、上記で論じた実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして理解されたい。
【００９６】
〔実施の態様〕
（１）  組織上で手術するための装置であって、前記装置はエンドエフェクタを備え、前記エンドエフェクタは、
（ａ）超音波ブレードであって、前記エンドエフェクタは、前記ブレードにおいて超音波エネルギーを加えるように動作可能である、超音波ブレードと、
（ｂ）前記ブレードに対して枢動可能なクランプアームと、
（ｃ）前記クランプアームに固定されたクランプパッドであって、前記クランプパッドが前記ブレードに対向して位置付けられることにより、前記エンドエフェクタは、前記クランプパッドと前記ブレードとの間で組織を圧縮するように動作可能である、クランプパッドと、を備え、
前記クランプパッドは、ポリベンゾイミダゾールとポリエーテルケトンケトンとのブレンドを含む、装置。
（２）  前記クランプアームが、前記クランプアームに対して前記クランプパッドを保持するように動作可能なラッチ特徴部を備え、前記ラッチ特徴部は、前記クランプパッドが前記クランプアームに対して横方向、長手方向、及び垂直方向に動くことを防ぐように動作可能である、実施態様１に記載の装置。
（３）  前記クランプパッドが、前記クランプアーム上に射出成形されている、実施態様１に記載の装置。
（４）  前記ポリベンゾイミダゾールとポリエーテルケトンケトンとのブレンドが、少なくとも５５重量％のポリベンゾイミダゾールを含む、実施態様１に記載の装置。
（５）  前記クランプパッドが潤滑剤を更に含む、実施態様１に記載の装置。
【００９７】
（６）  前記潤滑剤が、窒化ホウ素、炭素、ＰＦＴＥ、二硫化モリブデン、及びグラファイトを含む、実施態様５に記載の装置。
（７）  前記クランプパッドが、２０重量％〜４０重量％の前記潤滑剤、１５重量％〜４０重量％の前記ポリベンゾイミダゾール、及び４０重量％〜５０重量％の前記ポリエーテルケトンケトンを含む、実施態様６に記載の装置。
（８）  前記クランプパッドが、２７．５重量％の前記潤滑剤、２８重量％の前記ポリベンゾイミダゾール、及び４４．５重量％の前記ポリエーテルケトンケトンを含む、実施態様６に記載の装置。
（９）  前記潤滑剤が、１３重量％の窒化ホウ素、４７重量％の炭素、及び４０重量％のグラファイトを含む、実施態様５に記載の装置。
（１０）  前記クランプパッドが、２８重量％のポリベンゾイミダゾール、４４．５重量％のポリエーテルケトンケトン、３．５重量％の窒化ホウ素、１１重量％のグラファイト、及び１３重量％の炭素を含む、実施態様９に記載の装置。
【００９８】
（１１）  超音波外科用器具に用いられる材料であって、前記材料は、ポリベンゾイミダゾールとポリエーテルケトンケトンとのブレンドを含み、前記材料は、前記超音波外科用器具のクランプアームに取り付けられている、材料。
（１２）  前記ポリベンゾイミダゾールとポリエーテルケトンケトンとのブレンドが、少なくとも５５重量％のポリベンゾイミダゾールを含む、実施態様１１に記載の材料。
（１３）  前記材料が潤滑剤を更に含む、実施態様１１に記載の材料。
（１４）  前記潤滑剤が、窒化ホウ素、炭素、及びグラファイトを含む、実施態様１３に記載の材料。
（１５）  前記材料が、２５重量％〜４０重量％の前記潤滑剤、１５重量％〜４０重量％のポリベンゾイミダゾール、及び４０重量％〜４５重量％のポリエーテルケトンケトンを含む、実施態様１４に記載の材料。
【００９９】
（１６）  前記潤滑剤が、１３重量％の窒化ホウ素、４７重量％の炭素、及び４０重量％のグラファイトを含む、実施態様１４に記載の材料。
（１７）  前記材料が、２８重量％のポリベンゾイミダゾール、４４．５重量％のポリエーテルケトンケトン、３．５重量％の窒化ホウ素、１１重量％のグラファイト、及び１３重量％の炭素を含む、実施態様１６に記載の材料。
（１８）  前記材料が、クランプパッドに形成され、かつ、前記材料を前記クランプアーム上に射出成形することによって、前記超音波外科用器具の前記クランプアームに取り付けられている、実施態様１７に記載の材料。
（１９）  前記クランプアームが、前記クランプアームに対して前記クランプパッドを保持するように動作可能なラッチ特徴部を備え、前記ラッチ特徴部は、前記クランプパッドが前記クランプアームに対して横方向、長手方向、及び垂直方向に動くことを防ぐように動作可能である、実施態様１８に記載の材料。
（２０）  前記材料が、機械加工によって前記クランプパッドに形成されている、実施態様１７に記載の材料。
【０１００】
（２１）  組織上で手術するための装置であって、前記装置はエンドエフェクタを備え、前記エンドエフェクタは、
（ａ）超音波ブレードであって、前記エンドエフェクタは、前記ブレードにおいて超音波エネルギーを加えるように動作可能である、超音波ブレードと、
（ｂ）前記ブレードに対して枢動可能なクランプアームと、
（ｃ）前記クランプアームに固定されたクランプパッドであって、前記クランプパッドが前記ブレードに対向して位置付けられることにより、前記エンドエフェクタは、前記クランプパッドと前記ブレードとの間で組織を圧縮するように動作可能である、クランプパッドと、を備え、
前記クランプパッドは、
ｉ）非溶融ポリマーと、
ｉｉ）溶融性担体ポリマーと、
ｉｉｉ）少なくとも１種の潤滑剤／レオロジー変性充填剤材料と、を含む、装置。
（２２）  埋め込み可能な医療用装置に用いられる構成要素であって、
前記構成要素の材料が、
ｉ）非溶融ポリマーと、
ｉｉ）溶融性担体ポリマーと、
ｉｉｉ）少なくとも１種の潤滑剤／レオロジー変性充填剤材料と、を含む、構成要素。
（２３）  医療用装置に用いられる材料であって、
前記材料は、
ｉ）非溶融ポリマーと、
ｉｉ）溶融性担体ポリマーと、
ｉｉｉ）少なくとも１種の潤滑剤／レオロジー変性充填剤材料と、を含む、材料。
（２４）  組織上で手術するための装置であって、前記装置はエンドエフェクタを備え、前記エンドエフェクタは、
（ａ）超音波ブレードであって、前記エンドエフェクタは、前記ブレードにおいて超音波エネルギーを加えるように動作可能である、超音波ブレードと、
（ｂ）前記ブレードに対して枢動可能なクランプアームと
（ｃ）前記クランプアームに固定されたクランプパッドであって、前記クランプパッドが前記ブレードに対向して位置付けられることにより、前記エンドエフェクタは、前記クランプパッドと前記ブレードとの間で組織を圧縮するように動作可能である、クランプパッドと、を備え、
前記クランプパッドは、
ｉ）非溶融ポリマーと、
ｉｉ）溶融性担体ポリマーと、を含む、装置。
（２５）  埋め込み可能な医療用装置に用いられる構成要素であって、
前記構成要素の材料が、
ｉ）非溶融ポリマーと、
ｉｉ）溶融性担体ポリマーと、を含む、構成要素。
【０１０１】
（２６）  医療用装置に用いられる材料であって、
前記材料は、
ｉ）非溶融ポリマーと、
ｉｉ）溶融性担体ポリマーと、を含む、材料。
【図１】
0006648146.tif 000002
【図２Ａ】
0006648146.tif 000003
【図２Ｂ】
0006648146.tif 000004
【図３Ａ】
0006648146.tif 000005
【図３Ｂ】
0006648146.tif 000006
【図３Ｃ】
0006648146.tif 000007
【図４】
0006648146.tif 000008
【図５】
0006648146.tif 000009
【図６】
0006648146.tif 000010
【図７】
0006648146.tif 000011
【図８】
0006648146.tif 000012
【図９】
0006648146.tif 000013
【図１０】
0006648146.tif 000014
【図１１】
0006648146.tif 000015
【図１２】
0006648146.tif 000016
【図１３】
0006648146.tif 000017
【図１４】
0006648146.tif 000018
【図１５】
0006648146.tif 000019
【図１６】
0006648146.tif 000020
【図１７】
0006648146.tif 000021
【図１８】
0006648146.tif 000022
【図１９】
0006648146.tif 000023
【図２０】
0006648146.tif 000024
【図２１】
0006648146.tif 000025
【図２２】
0006648146.tif 000026
【図２３】
0006648146.tif 000027
【図２４】
0006648146.tif 000028
【図２５】
0006648146.tif 000029
【図２６】
0006648146.tif 000030
【図２７Ａ】
0006648146.tif 000031
【図２７Ｂ】
0006648146.tif 000032
【図２８】
0006648146.tif 000033
【図２９】
0006648146.tif 000034
【図３０】
0006648146.tif 000035
【図３１】
0006648146.tif 000036
【図３２】
0006648146.tif 000037
【図３３】
0006648146.tif 000038
【図３４】
0006648146.tif 000039
【図３５】
0006648146.tif 000040
【図３６】
0006648146.tif 000041
【図３７】
0006648146.tif 000042
【図３８】
0006648146.tif 000043
【図３９】
0006648146.tif 000044
【図４０】
0006648146.tif 000045
【図４１】
0006648146.tif 000046
【図４２】
0006648146.tif 000047
【図４３】
0006648146.tif 000048
【図４４】
0006648146.tif 000049
【図４５Ａ】
0006648146.tif 000050
【図４５Ｂ】
0006648146.tif 000051
【図４６】
0006648146.tif 000052
【図４７Ａ】
0006648146.tif 000053
【図４７Ｂ】
0006648146.tif 000054
【図４８】
0006648146.tif 000055
【図４９Ａ】
0006648146.tif 000056
【図４９Ｂ】
0006648146.tif 000057
【図５０Ａ】
0006648146.tif 000058
【図５０Ｂ】
0006648146.tif 000059
【図５１Ａ】
0006648146.tif 000060
【図５１Ｂ】
0006648146.tif 000061
【図５２】
0006648146.tif 000062
【図５３】
0006648146.tif 000063
【図５４】
0006648146.tif 000064
【図５５Ａ】
0006648146.tif 000065
【図５５Ｂ】
0006648146.tif 000066
【図５６】
0006648146.tif 000067
【図５７】
0006648146.tif 000068
【図５８】
0006648146.tif 000069
【図５９】
0006648146.tif 000070
【図６０】
0006648146.tif 000071
【図６１】
0006648146.tif 000072
【図６２Ａ】
0006648146.tif 000073
【図６２Ｂ】
0006648146.tif 000074
【図６３】
0006648146.tif 000075
【図６４】
0006648146.tif 000076
【図６５】
0006648146.tif 000077